(57)【要約】【課題】タグ装置同士の関連を示す関連情報を作成することができる通信装置、タグ装置および情報通信システムを提供すること。【解決手段】リーダ・ライタ装置３０は、無線タグ装置１０毎に階層位置情報５１ｂ３〜５８ｂ３を作成し、作成された階層位置情報５１ｂ３〜５８ｂ３をひとまとめにした階層構造情報を作成する。リーダ・ライタ装置３０によって作成された階層構造情報には、無線タグ装置１０同士の関連が示されているので、この階層構造情報によって、無線タグ装置１０同士の関連を知ることができる。【選択図】図９
2008197888.tif 000002
【特許請求の範囲】
【請求項１】
複数のタグ装置と通信可能な通信装置において、
前記複数のタグ装置のうち特定のタグ装置と、前記特定のタグ装置を除く他の１以上のタグ装置との関連を示す関連情報を作成する関連情報作成手段と、
その関連情報作成手段により作成された関連情報を前記特定のタグ装置に送信する関連情報送信手段とを備えていることを特徴とする通信装置。
【請求項２】
前記関連情報作成手段は、前記特定のタグ装置が属する集団全体の階層構造を示す階層構造情報と、前記階層構造のなかで前記特定のタグ装置がいずれの階層位置にあるかを示す位置情報とを関連情報として作成することを特徴とする請求項１記載の通信装置。
【請求項３】
前記関連情報作成手段は、同一集団に属する複数のタグ装置のうちの基準とする１つのタグ装置の関連情報に基づいて、前記特定のタグ装置の関連情報を作成することを特徴とする請求項１または２記載の通信装置。
【請求項４】
前記関連情報作成手段は、同一集団に属する複数のタグ装置のうちの基準とする１つのタグ装置の階層構造情報に基づいて、前記特定のタグ装置の関連情報を作成することを特徴とする請求項２記載の通信装置。
【請求項５】
前記特定のタグ装置を前記基準とする１つのタグ装置の同位層に配置するか下位層に配置するかを判断する判断手段を備え、
前記関連情報作成手段は、
前記判断手段が前記特定のタグ装置を前記基準とする１つのタグ装置と同位層に配置すると判断した場合には、前記基準とする１つのタグ装置の同位層の階層位置に前記特定のタグ装置を配置した前記階層構造情報及び前記位置情報を作成し、
前記判断手段が前記特定のタグ装置を前記基準とする１つのタグ装置の下位層に配置すると判断した場合には、前記基準とする１つのタグ装置の下位層の階層位置に前記特定のタグ装置を配置した前記階層構造情報及び前記位置情報を作成することを特徴とする請求項２から請求項４のいずれかに記載の通信装置。
【請求項６】
前記特定のタグ装置を前記基準とする１つのタグ装置の同位層に配置するか下位層に配置するかを報知する階層報知手段と、
その階層報知手段による報知後に、前記特定のタグ装置を前記基準とする１つのタグ装置の同位層に配置するか下位層に配置するかを操作者に入力させる階層入力手段とを備え、
その階層入力手段への入力に基づき、前記判断手段は前記特定のタグ装置を前記基準とする１つのタグ装置の同位層に配置するか下位層に配置するかを判断することを特徴とする請求項５記載の通信装置。
【請求項７】
前記関連情報送信手段が前記特定のタグ装置に前記関連情報を送信後、その送信した関連情報を前記複数のタグ装置のうち代表である１つの代表タグ装置に送信する代表送信手段を備えていることを特徴とする請求項１から請求項６のいずれかに記載の通信装置。
【請求項８】
前記関連情報送信手段が前記特定のタグ装置に前記関連情報を送信後、その送信した関連情報を前記階層構造の最上位のタグ装置に送信する最上位送信手段を備えていることを特徴とする請求項２から請求項６のいずれかに記載の通信装置。
【請求項９】
前記複数のタグ装置にはその複数のタグ装置が属する集団を識別するための情報である集団情報が記憶されており、
前記複数のタグ装置のうち第１のタグ装置の前記階層構造情報である第１階層構造情報と第１のタグ装置の前記集団情報である第１集団情報とを前記第１のタグ装置から受信する第１受信手段と、
その第１受信手段が前記第１集団情報を受信した後に、前記複数のタグ装置のうち第２のタグ装置の前記階層構造情報である第２階層構造情報と前記第２のタグ装置の前記集団情報である第２集団情報とを第２のタグ装置から受信する第２受信手段と、
前記第１受信手段が受信した前記第１集団情報と前記第２受信手段が受信した前記第２集団情報とが同一であり、且つ、前記第１受信手段が受信した前記第１階層構造情報と前記第２受信手段が受信した前記第２階層構造情報とが異なる場合、前記第２のタグ装置に、前記第１受信手段が受信した前記第１階層構造情報を送信する送信手段とを備えていることを特徴とする請求項２から８のいずれかに記載の通信装置。
【請求項１０】
前記第１集団情報を有するタグ装置を特定するための情報である第１特定情報を記憶する特定情報記憶手段と、
前記送信手段が前記第１階層構造情報を送信したタグ装置を特定するための情報である第２特定情報を記憶する送信済記憶手段と、
前記特定情報記憶手段に記憶された第１特定情報と前記送信済記憶手段に記憶された第２特定情報とを比較して、前記送信手段による前記第１階層構造情報の送信が前記第１集団情報を有するタグ装置の全てに完了したかを判定する送信判定手段と、
その送信判定手段により前記第１集団情報を有するタグ装置の全てに前記第１階層構造情報の送信が完了していないと判定された場合に、前記第１階層構造情報の送信が未完了である報知を行う送信未完了報知手段とを備えていることを特徴とする請求項９記載の通信装置。
【請求項１１】
前記関連情報作成手段により作成された関連情報を表示する表示手段を備えていることを特徴とする請求項１から１０のいずれかに記載の通信装置。
【請求項１２】
前記請求項１から１１のいずれかに記載の通信装置から送信された情報を受信するタグ装置用受信手段と、
そのタグ装置用受信手段が受信した情報を記憶する情報記憶手段と、
その情報記憶手段に記憶された情報を前記請求項１から１１のいずれかに記載の通信装置に送信するタグ装置用送信手段とを備えていることを特徴とするタグ装置。
【請求項１３】
前記情報記憶手段に記憶された情報を表示するタグ装置用表示手段を備えていることを特徴とする請求項１２記載のタグ装置。
【請求項１４】
前記請求項１から１１のいずれかに記載の通信装置と、前記請求項１２または１３に記載のタグ装置とを備えていることを特徴とする情報通信システム。
【発明の詳細な説明】
【技術分野】
【０００１】
本発明は通信装置、タグ装置および情報通信システムに関し、特に、タグ装置同士の関連を示す関連情報を作成することができる通信装置、タグ装置および情報通信システムに関するものである。
【背景技術】
【０００２】
タグ装置の表示手段に表示させる文字または記号等を通信装置を用いて入力し、その入力された文字又は記号等を通信装置からタグ装置に送信し、その送信された文字または記号をタグ装置の表示手段に表示させる情報通信システムに関しては、例えば、特開２００５−１６５６２１号公報に記載の非接触情報通信システム１が知られている。
【０００３】
この非接触情報通信システム１は、リーダ・ライタ装置２と複数の非接触識別タグ３とから構成されている。そして、例えば、販売する商品４にそれぞれ取り付けられた非接触識別タグ３に書き込むための情報である設定情報を、リーダ・ライタ装置２の操作部２ｄにおいて設定する。この設定が終わると、リーダ・ライタ装置２の情報送信部２ｂを介して、それぞれの非接触識別タグ３に応答要求信号を送信し、その後に設定情報を送信する。
【０００４】
一方、非接触識別タグ３は、リーダ・ライタ装置２からの応答要求信号を受信すると、電源生成部３８において、送信された応答要求信号の搬送波から駆動電力を生成し、その駆動電力を非接触識別タグ３の各部に供給する。そして、駆動電力が供給された情報制御部３２の制御によって、リーダ・ライタ装置２から応答要求信号送信後に送信される設定情報を、情報受信部３０を介して受信し、情報記憶部３３によって不揮発性のメモリに記憶する。
【０００５】
更に、不揮発性のメモリに記憶された設定情報に基づき表示処理部３６によって、電気泳動表示装置３７に、例えば、商品の種類、商品の仕入先、商品の仕入れ日等を文字画像でそれぞれ表示する。最後に、非接触識別タグ３は、これら一連の処理が実行された旨を示す応答信号を情報送信部３１を介してリーダ・ライタ装置２に送信する。
【０００６】
この非接触情報通信システム１においては、非接触識別タグ３の電気泳動表示装置３７の表示を設定する設定情報を、リーダ・ライタ装置２を用いて書き換えることができるので、非接触識別タグ３の電気泳動表示装置３７の表示を容易に変更することができる。
【特許文献１】特開２００５−１６５６２１号公報
【発明の開示】
【発明が解決しようとする課題】
【０００７】
しかしながら、上述した非接触情報通信システム１では、不揮発性のメモリに記憶された設定情報に基づき、電気泳動表示装置３７に、例えば、商品の種類、商品の仕入先、商品の仕入れ日等の非接触識別タグ３を特定する情報を表示することはできるが、非接触識別タグ３が複数ある場合に、設定情報には非接触識別タグ３同士の関連を示す情報が含まれていないので、商品の種類等（例えば、品種）により商品同士に関連があるにも拘らず、非接触識別タグ３同士の関連を知ることができないという問題点があった。
【０００８】
本発明は、上述した問題点を解決するためになされたものであり、タグ装置同士の関連を示す関連情報を作成することができる通信装置、タグ装置および情報通信システムを提供することを目的としている。
【課題を解決するための手段】
【０００９】
この目的を達成するために請求項１記載の通信装置は、複数のタグ装置と通信可能なものであり、前記複数のタグ装置のうち特定のタグ装置と、前記特定のタグ装置を除く他の１以上のタグ装置との関連を示す関連情報を作成する関連情報作成手段と、その関連情報作成手段により作成された関連情報を前記特定のタグ装置に送信する関連情報送信手段とを備えている。
【００１０】
請求項２記載の通信装置は、請求項１記載の通信装置において、前記関連情報作成手段は、前記特定のタグ装置が属する集団全体の階層構造を示す階層構造情報と、前記階層構造のなかで前記特定のタグ装置がいずれの階層位置にあるかを示す位置情報とを関連情報として作成するものである。
【００１１】
請求項３記載の通信装置は、請求項１または２に記載の通信装置において、前記関連情報作成手段は、同一集団に属する複数のタグ装置のうちの基準とする１つのタグ装置の関連情報に基づいて、前記特定のタグ装置の関連情報を作成するものである。
【００１２】
請求項４記載の通信装置は、請求項２記載の通信装置において、前記関連情報作成手段は、同一集団に属する複数のタグ装置のうちの基準とする１つのタグ装置の階層構造情報に基づいて、前記特定のタグ装置の関連情報を作成するものである。
【００１３】
請求項５記載の通信装置は、請求項２から４のいずれかに記載の通信装置において、前記特定のタグ装置を前記基準とする１つのタグ装置の同位層に配置するか下位層に配置するかを判断する判断手段を備え、前記関連情報作成手段は、前記判断手段が前記特定のタグ装置を前記基準とする１つのタグ装置と同位層に配置すると判断した場合には、前記基準とする１つのタグ装置の同位層の階層位置に前記特定のタグ装置を配置した前記階層構造情報及び前記位置情報を作成し、前記判断手段が前記特定のタグ装置を前記基準とする１つのタグ装置の下位層に配置すると判断した場合には、前記基準とする１つのタグ装置の下位層の階層位置に前記特定のタグ装置を配置した前記階層構造情報及び前記位置情報を作成するものである。
【００１４】
請求項６記載の通信装置は、請求項５記載の通信装置において、前記特定のタグ装置を前記基準とする１つのタグ装置の同位層に配置するか下位層に配置するかを報知する階層報知手段と、その階層報知手段による報知後に、前記特定のタグ装置を前記基準とする１つのタグ装置の同位層に配置するか下位層に配置するかを操作者に入力させる階層入力手段とを備え、その階層入力手段への入力に基づき、前記判断手段は前記特定のタグ装置を前記基準とする１つのタグ装置の同位層に配置するか下位層に配置するかを判断するものである。
【００１５】
請求項７記載の通信装置は、請求項１から６のいずれかに記載の通信装置において、前記関連情報送信手段が前記特定のタグ装置に前記関連情報を送信後、その送信した関連情報を前記複数のタグ装置のうち代表である１つの代表タグ装置に送信する代表送信手段を備えている。
【００１６】
請求項８記載の通信装置は、請求項２から６のいずれかに記載の通信装置において、前記関連情報送信手段が前記特定のタグ装置に前記関連情報を送信後、その送信した関連情報を前記階層構造の最上位のタグ装置に送信する最上位送信手段を備えている。
【００１７】
請求項９記載の通信装置は、前記請求項２から８のいずれかに記載の通信装置において、前記複数のタグ装置にはその複数のタグ装置が属する集団を識別するための情報である集団情報が記憶されており、前記複数のタグ装置のうち第１のタグ装置の前記階層構造情報である第１階層構造情報と第１のタグ装置の前記集団情報である第１集団情報とを前記第１のタグ装置から受信する第１受信手段と、その第１受信手段が前記第１集団情報を受信した後に、前記複数のタグ装置のうち第２のタグ装置の前記階層構造情報である第２階層構造情報と前記第２のタグ装置の前記集団情報である第２集団情報とを第２のタグ装置から受信する第２受信手段と、前記第１受信手段が受信した前記第１集団情報と前記第２受信手段が受信した前記第２集団情報とが同一であり、且つ、前記第１受信手段が受信した前記第１階層構造情報と前記第２受信手段が受信した前記第２階層構造情報とが異なる場合、前記第２のタグ装置に、前記第１受信手段が受信した前記第１階層構造情報を送信する送信手段とを備えている。
【００１８】
請求項１０記載の通信装置は、請求項９記載の通信装置において、前記第１集団情報を有するタグ装置を特定するための情報である第１特定情報を記憶する特定情報記憶手段と、前記送信手段が前記第１階層構造情報を送信したタグ装置を特定するための情報である第２特定情報を記憶する送信済記憶手段と、前記特定情報記憶手段に記憶された第１特定情報と前記送信済記憶手段に記憶された第２特定情報とを比較して、前記送信手段による前記第１階層構造情報の送信が前記第１集団情報を有するタグ装置の全てに完了したかを判定する送信判定手段と、その送信判定手段により前記第１集団情報を有するタグ装置の全てに前記第１階層構造情報の送信が完了していないと判定された場合に、前記第１階層構造情報の送信が未完了である報知を行う送信未完了報知手段とを備えている。
【００１９】
請求項１１記載の通信装置は、請求項１から１０のいずれかに記載の通信装置において、前記関連情報作成手段により作成された関連情報を表示する表示手段を備えている。
【００２０】
請求項１２記載のタグ装置は、前記請求項１から１１のいずれかに記載の通信装置から送信された情報を受信するタグ装置用受信手段と、そのタグ装置用受信手段が受信した情報を記憶する情報記憶手段と、その情報記憶手段に記憶された情報を前記請求項１から１１のいずれかに記載の通信装置に送信するタグ装置用送信手段とを備えている。
【００２１】
請求項１３記載のタグ装置は、請求項１２記載のタグ装置において、前記情報記憶手段に記憶された情報を表示するタグ装置用表示手段を備えている。
【００２２】
請求項１４記載の情報通信システムは、前記請求項１から１１のいずれかに記載の通信装置と、前記請求項１２または１３に記載のタグ装置とを備えている。
【発明の効果】
【００２３】
請求項１記載の通信装置によれば、関連情報作成手段により特定のタグ装置とその特定のタグ装置を除く１以上のタグ装置との関連を示す関連情報を作成し、その作成した関連情報を関連情報送信手段により特定のタグ装置に送信することができる。よって、特定のタグ装置は通信装置により作成された関連情報を取得することができ、複数のタグ装置同士が関連情報により関連付けられる。従って、作成された関連情報により、特定のタグ装置はタグ装置同士の関連を知ることができるという効果がある。
【００２４】
請求項２記載の通信装置によれば、請求項１記載の通信装置の奏する効果に加え、関連情報作成手段は、特定のタグ装置が属する集団全体の階層構造を示す階層構造情報と、階層構造のなかで特定のタグ装置がいずれの階層位置にあるかを示す位置情報とを関連情報として作成する。よって、作成された階層構造情報により特定のタグ装置が属する集団全体の階層構造を知ることができると共に、作成された位置情報により特定のタグ装置がいずれの階層位置にあるかを知ることができるという効果がある。
【００２５】
請求項３記載の通信装置によれば、請求項１または２に記載の通信装置の奏する効果に加え、関連情報作成手段は、同一集団に属する複数のタグ装置のうちの基準とする１つのタグ装置の関連情報に基づいて、特定のタグ装置の関連情報を作成するので、特定のタグ装置の関連情報を作成する際には、基準とする１つのタグ装置の関連情報を利用することができる。よって、特定のタグ装置の関連情報を簡易に作成することができるという効果がある。
【００２６】
請求項４記載の通信装置によれば、請求項２記載の通信装置の奏する効果に加え、関連情報作成手段は、同一集団に属する複数のタグ装置のうちの基準とする１つのタグ装置の階層構造情報に基づいて、特定のタグ装置の関連情報を作成するので、特定のタグ装置の関連情報を作成する際には、基準とする１つのタグ装置の階層構造情報を利用することができる。よって、特定のタグ装置の関連情報を簡易に作成することができるという効果がある。
【００２７】
請求項５記載の通信装置によれば、請求項２から４のいずれかに記載の通信装置の奏する効果に加え、判定手段が、基準とする１つのタグ装置の同位層に特定のタグ装置を配置すると判定した場合には、関連情報作成手段は、基準とする１つのタグ装置の同位層の階層位置に特定のタグ装置を配置して階層構造情報及び位置情報を作成し、判定手段が、基準とする１つのタグ装置の下位層に特定のタグ装置を配置すると判定した場合には、関連情報作成手段は、基準とする１つのタグ装置の下位層の階層位置に特定のタグ装置を配置して階層構造情報及び位置情報を作成する。よって、特定のタグ装置を基準とする１つのタグ装置の同位層に配置する場合と特定のタグ装置を基準とする１つのタグ装置の下位層に配置する場合とで、関連情報作成手段が作成する階層構造情報及び位置情報を異ならせることができる。従って、特定のタグ装置を基準とする１つのタグ装置の同位層または下位層のどちらにも配置することができるという効果がある。
【００２８】
請求項６記載の通信装置によれば、請求項５記載の通信装置の奏する効果に加え、階層報知手段による報知後に、特定のタグ装置を基準とする１つのタグ装置の同位層に配置するか下位層に配置するかを階層入力手段に操作者によって入力させ、その階層入力手段への入力に基づき、判断手段は特定のタグ装置を基準とする１つのタグ装置の同位層に配置するか下位層に配置するかを判断する。よって、操作者の階層入力手段への入力により、操作者が特定のタグ装置を配置する階層位置を確認することができるという効果がある。
【００２９】
請求項７記載の通信装置によれば、請求項１から６のいずれかに記載の通信装置の奏する効果に加え、関連情報送信手段が特定のタグ装置に関連情報を送信後、その関連情報を代表送信手段により複数のタグ装置のうち代表である１つの代表タグ装置に送信することができる。よって、特定のタグ装置に加え、少なくとも代表タグ装置には、特定のタグ装置に送信された最新の関連情報を送信することができるという効果がある。
【００３０】
請求項８記載の通信装置によれば、請求項２から６のいずれかに記載の通信装置の奏する効果に加え、最上位送信手段により、関連情報送信手段が特定のタグ装置に関連情報を送信後、その関連情報を複数のタグ装置のうち階層構造の最上位のタグ装置に送信することができる。よって、特定のタグ装置に加え、少なくとも階層構造の最上位のタグ装置には、特定のタグ装置に送信された最新の関連情報を送信することができるという効果がある。
【００３１】
請求項９記載の通信装置によれば、請求項２から８のいずれかに記載の通信装置の奏する効果に加え、第１受信手段が受信した第１集団情報と第２受信手段が受信した第２集団情報とが同一であり、且つ、第１受信手段が受信した第１階層構造情報と第２受信手段が受信した第２階層構造情報とが異なる場合、送信手段によって、第１受信手段が受信した第１階層構造情報を第２のタグ装置に送信することができる。よって、第２のタグ装置の第２階層構造情報が第１のタグ装置の第１階層構造情報と異なる場合には、第２のタグ装置の第２階層構造情報を第１のタグ装置の第１階層構造情報に一致させることができるという効果がある。また、第１受信手段が受信した第１集団情報と第２受信手段が受信した第２集団情報とが同一の場合に、送信手段は第１受信手段が受信した第１階層構造情報を第２のタグ装置に送信するので、集団情報の異なるタグ装置に誤って第１階層構造情報を送信することを防止することができるという効果がある。
【００３２】
請求項１０記載の通信装置によれば、請求項９記載の通信装置の奏する効果に加え、送信判定手段により、特定情報記憶手段に記憶された第１特定情報と送信済記憶手段に記憶された第２特定情報とが比較され、送信手段による第１階層構造情報の送信が第１集団情報を有するタグ装置の全てに完了していないと判定された場合には、送信未完了報知手段は、第１階層構造情報の送信が未完了である報知を行う。よって、送信未完了報知手段の報知により、第１集団情報を有するタグ装置の全てに第１階層構造情報の送信が完了していないことを操作者に認識させることができるという効果がある。
【００３３】
請求項１１記載の通信装置によれば、請求項１から１０のいずれかに記載の通信装置の奏する効果に加え、表示手段により関連情報を表示することができるので視覚による関連情報の確認を行うことができるという効果がある。
【００３４】
請求項１２のタグ装置によれば、通信装置から送信された情報をタグ装置用受信手段により受信し、タグ装置用受信手段が受信した情報を情報記憶手段に記憶することができると共に、情報記憶手段に記憶された情報をタグ装置用送信手段によって請求項１から１１のいずれかに記載の通信装置に送信することができる。よって、タグ装置からの情報を請求項１から１１のいずれかに記載の通信装置が受信した場合には、タグ装置に記憶された情報を請求項１から１１のいずれかに記載の通信装置で利用することができるという効果がある。
【００３５】
請求項１３記載のタグ装置によれば、請求項１２記載のタグ装置の奏する効果に加え、タグ装置用表示手段によりタグ装置に記憶された情報を表示することができるので、視覚による情報の確認を行うことができるという効果がある。
【００３６】
請求項１４記載の情報通信システムによれば、請求項１から１１のいずれかに記載の通信装置の奏する効果と、請求項１２または１３に記載のタグ装置の奏する効果とを奏する。
【発明を実施するための最良の形態】
【００３７】
以下、本発明の一実施の形態について添付図面を参照して説明する。本実施例のタグ無線通信システム６０は、無線タグ装置１０とリーダ・ライタ装置３０とが無線通信可能に構成されている。
【００３８】
図１に、タグ無線通信システム６０の外観図を示す。無線タグ装置１０付きバインダー１は、通常、本棚７０に複数収納されており、書類３を綴じるバインダー２と、バインダー２の名称等を表示する無線タグ装置１０とから構成されている。無線タグ装置１０は、図１に示すように、タグ用ＩＣ回路部１３と、タグ用ディスプレイ１２と、タグ用アンテナ１１とから構成されている。尚、無線タグ装置１０には電池（図示せず）が設けられており、この電池により無線タグ装置１０の各回路に電源が供給される。
【００３９】
タグ用ＩＣ回路部１３は、タグ用ディスプレイ１２に表示するバインダー２の名称等の情報の設定や制御を行う装置である。タグ用ディスプレイ１２は、タグ用ＩＣ回路部１３から出力される制御信号によって、表示を変更することができる電気泳動方式を採用した不揮発性の表示装置である。ここで、電気泳動方式の表示装置の動作原理である電気泳動現象とは、液相分散媒中に微粒子を分散させた分散液に電界を印加したときに、分散によって自然に帯電した粒子（電気泳動粒子）がクーロン力により移動する現象である。この電気泳動方式表示装置は、表示画像保持性能を有しており、電界の印加により一度表示された画像を保持することが可能である。タグ用アンテナ１１は、リーダ・ライタ装置３０から送信された情報を受信し、受信した情報をタグ用ＩＣ回路部１３へ出力すると共に、タグ用ＩＣ回路１３から出力された情報をリーダ・ライタ装置３０へ送信する装置である。
【００４０】
リーダ・ライタ装置３０は、無線タグ装置１０と無線通信を行う装置であり、図１に示すように、キーボード３３と、ディスプレイ３２と、アンテナ３１とを主に有している。キーボード３３は、無線タグ装置１０に送信する情報の入力や、リーダ・ライタ装置３０の機能を変更するためのボタン群であり、図１に示すように、決定ボタン３７と、機能ボタン３６と、十字ボタン３５と、複数の丸ボタン３４とから構成されている。
【００４１】
決定ボタン３７は、ディスプレイ３２に表示された情報の決定や各種の問い合わせに対する回答の決定を行うボタンである。この決定ボタン３７を押下することにより、リーダ・ライタ装置３０への入力を確定する。機能ボタン３６は、リーダ・ライタ装置３０の有する機能（図６参照）を変更するボタンである。この機能ボタン３６を押下することにより、図６に示す機能選択処理が実行され、リーダ・ライタ装置３０の機能を変更することができる。
【００４２】
十字ボタン３５は、ディスプレイ３２に表示された情報を選択するボタンである。例えば、十字ボタン３５上方向を押下すると、ディスプレイ３２に表示されている情報の１つ上に表示された情報を選択することができる。
【００４３】
丸ボタン３４は、文字等を入力し、ディスプレイ３２に表示させるボタンである。丸ボタン３４には、それぞれに各種の文字等が割り当てられているので、丸ボタン３４を押下することにより、所望の文字等が入力される。そして、入力された文字等はディスプレイ３２に表示される。なお、ここで文字等とは、文字、数字および記号を含む意味である。
【００４４】
ディスプレイ３２は、液晶を利用した表示装置である。アンテナ３１は、無線タグ装置１０から送信された情報を受信すると共に、リーダ・ライタ装置３０から出力される情報を送信する装置である。
【００４５】
次に、図２を参照して、無線タグ装置１０およびリーダ・ライタ装置３０の電気的構成について説明する。図２（ａ）は無線タグ装置１０の電気的構成を示したブロック図であり、図２（ｂ）はリーダ・ライタ装置３０の電気的構成を示したブロック図である。なお、図１で説明した部分と同一である部分には同一の番号を付し、その説明は省略する。
【００４６】
無線タグ装置１０は、リーダ・ライタ装置３０から送信された情報を受信し、その受信した情報を記憶すると、タグ用ディスプレイ１２に記憶した情報の表示を行い、更には、リーダ・ライタ装置３０に記憶した情報を送信する装置である。図２（ａ）に示すように、無線タグ装置１０は、タグ用アンテナ１１と、タグ用ディスプレイ１２と、タグ用ＩＣ回路１３とを有しており、タグ用ＩＣ回路１３は、タグ用送受信機１４と、タグ用ＣＰＵ１５と、タグ用ＲＯＭ１６と、タグ用ＲＡＭ１７と、タグ用フラッシュメモリ１８と、タグ用入出力ポート１９とを主に有している。
【００４７】
タグ用送受信機１４は、タグ用アンテナ１１と信号線２０を介して接続されており、無線タグ装置１０から送信する情報を高周波電流に変えてタグ用アンテナ１１に送り出す送信装置と、タグ用アンテナ１１が受信した高周波電流から必要な情報を取り出す受信装置とが一体化された装置である。
【００４８】
また、タグ用送受信機１４は、バスライン２１を介してタグ用入出力ポート１９と接続されており、受信した高周波電流から必要な情報を取り出した後に、その取り出した情報をタグ用入出力ポート１９に出力する機能と、タグ用入出力ポート１９から入力された情報を受け取る機能を有している。
【００４９】
タグ用ＣＰＵ１５は、各部を制御する演算装置である。タグ用ＲＯＭ１６は、タグ用ＣＰＵ１５により実行される制御プログラム（例えば、図１３に示す処理のフローチャート）を格納した書き換え不能な不揮発性のメモリであり、タグ用ＲＡＭ１７は、制御プログラムの実行時に各種の情報を一時的に記憶するメモリであり、タグ用フラッシュメモリ１８は、リーダ・ライタ装置３０から送信された情報を記憶する書き換え可能な不揮発性のメモリである。タグ用フラッシュメモリ１８に記憶された各種情報は、入出力ポート１９に接続されたバスライン２３を介してタグ用ディスプレイ１２に表示される。
【００５０】
タグ用フラッシュメモリ１８は、タグ用ラベル名情報メモリ１８ａとタグ用関連情報メモリ１８ｂとを有している。タグ用ラベル名情報メモリ１８ａは、タグ用ディスプレイ１２に表示するラベル名の情報（ラベル名情報）を記憶するメモリである。タグ用関連情報メモリ１８ｂは、タグ用グループ名情報メモリ１８ｂ１とタグ用階層構造情報メモリ１８ｂ２とを有している。
【００５１】
タグ用グループ名情報メモリ１８ｂ１は、無線タグ装置１０の所属する集団であるグループ名の情報を記憶するメモリであり、タグ用階層構造情報メモリ１８ｂ２は、無線タグ装置１０同士の関連を示す情報である階層構造情報を記憶するメモリである。なお、請求項に記載の「集団情報」はグループ名情報を示している。
【００５２】
ここで、図３を参照して、グループ名情報、ラベル名情報および階層構造情報について説明する。図３は、階層構造を模式に示した図であり、グループ名情報５１ｂ１と、ラベル名情報５１ｂ２〜５８ｂ２と、階層構造情報と、階層構造内の階層位置情報５１ｂ３〜５８ｂ３とが示されている。上記に記載した階層構造情報は、階層位置情報５１ｂ３〜５８ｂ３を全て有するものである。即ち、階層構造情報は、全ての階層位置情報５１ｂ３〜５８ｂ３をひとまとめにしたものであり、全ての階層位置情報５１ｂ３〜５８ｂ３を有する情報である。
【００５３】
グループ名情報５１ｂ１（「グループＡ」を示している）は、１または複数の無線タグ装置１０からなる集団の名称を示す情報である。グループＡに所属する全ての無線タグ装置１０がこのグループ名情報５１ｂ１を各無線タグ装置１０に設けられているタグ用グループ名情報メモリ１８ｂ１に記憶する。本実施の形態では、グループ名情報５１ｂ１に示す「グループＡ」には、ラベル名情報５１ｂ２〜５８ｂ２の数に対応した無線タグ装置１０が存在しているので、「グループＡ」に所属する無線タグ装置１０は全部で８つとなる。
【００５４】
ラベル名情報５１ｂ２〜５８ｂ２は、無線タグ装置１０のタグ用ディスプレイ１２に表示するラベル名を示す情報である。各ラベル名情報５１ｂ２〜５８ｂ２は、グループＡに所属する８つの無線タグ装置１０のそれぞれに１つずつ記憶される。例えば、グループＡに所属する１つ目の無線タグ装置１０のタグ用ラベル名情報メモリ１８ａにラベル名情報５１ｂ２（１つ目の無線タグ装置１０のタグ用ディスプレイ１２にラベル名「Ｂ１」と表示する）が記憶され、１つ目の下位層に配置される無線タグ装置１０のタグ用ラベル名情報メモリ１８ａには、ラベル名情報５２ｂ２（１つ目の下位層に配置される無線タグ装置１０のタグ用ディスプレイ１２にラベル名「Ｃ１」と表示する）が記憶される。なお、請求項に記載の「第１特定情報」および「第２特定情報」は、ラベル名情報を示している。
【００５５】
階層構造情報は、上記のとおり、全ての階層位置情報５１ｂ３〜５８ｂ３をひとまとめにした情報であり、グループＡに所属する８つの無線タグ装置１０が階層構造情報を各無線タグ装置１０に設けられているタグ用階層構造情報メモリ１８ｂ２に記憶する。階層位置情報５１ｂ３〜５８ｂ３は、階層構造内における無線タグ装置１０の各階層位置を示している。なお、請求項に記載の「位置情報」は、階層位置情報を示している。
【００５６】
例えば、階層位置情報５２ｂ３である「Ａ：￥Ｂ１￥Ｃ１」は、階層位置情報５２ｂ３の最後尾にあるラベル名「Ｃ１」をタグ用ディスプレイ１２に表示する無線タグ装置１０に関する情報を示しており、ラベル名「Ｃ１」の上位層には、ラベル名「Ｂ１」をタグ用ディスプレイ１２に表示する無線タグ装置１０が配置されていることを示し、更に、ラベル名「Ｃ１」の無線タグ装置１０がグループＡに所属していることを示している。
【００５７】
なお、階層位置情報５２ｂ３の「Ａ：￥Ｂ１￥Ｃ１」の「Ａ：」はグループＡを表し、「￥Ｂ１」はラベル名「Ｂ１」をタグ用ディスプレイ１２に表示する無線タグ装置１０を表し、「￥Ｃ１」は、ラベル名「Ｃ１」をタグ用ディスプレイ１２に表示する無線タグ装置１０を表している。このように階層位置情報はラベル名が階層の順に配列されている。よって、ラベル名「Ｃ１」をタグ用ディスプレイ１２に表示する無線タグ装置１０の階層構造内の階層位置は、ラベル名「Ｃ１」をタグ用ディスプレイ１２に表示する無線タグ装置１０内のタグ用階層構造情報メモリ１８ｂ２に記憶された階層構造情報から、最後尾にラベル名「Ｃ１」がある階層位置情報５２ｂ３を選出し、選出した階層位置情報５２ｂ３の「￥Ｃ１」より上位に記載された情報（ここでは、「Ａ：￥Ｂ１」）を解析することで把握することができる。
【００５８】
ここで、ラベル名「Ｅ１」をタグ用ディスプレイ１２に表示する無線タグ装置１０、ラベル名「Ｅ２」をタグ用ディスプレイ１２に表示する無線タグ装置１０およびラベル名「Ｅ３」をタグ用ディスプレイ１２に表示する無線タグ装置１０は、共にラベル名「Ｄ１」を表示する無線タグ装置１０の下位層に配置されているので同位層となる。また、ラベル名「Ｆ１」をタグ用ディスプレイ１２に表示する無線タグ装置１０およびラベル名「Ｆ２」をタグ用ディスプレイ１２に表示する無線タグ装置１０は、共にラベル名「Ｅ１」をタグ用ディスプレイ１２に表示する無線タグ装置１０の下位層に配置されているので、同位層となる。なお、請求項１の「関連情報」は、グループ名情報と階層構造情報と階層位置情報とに相当する情報である。
【００５９】
図２（ａ）の説明に戻る。タグ用フラッシュメモリ１８に記憶されている情報は、リーダ・ライタ装置３０から送信される情報によって書き換えられる。例えば、リーダ・ライタ装置３０から階層構造情報が信号に変換された電波が送信されると、その電波がタグ用アンテナ１１に受信され、タグ用送受信機１４により階層構造情報が取り出され、その取り出した階層構造情報はバスライン２１を介してタグ用入出力ポート１９に出力される。そして、タグ用ＣＰＵ１５により、取り出された階層構造情報の記憶命令が行われ、取り出された階層構造情報はバスライン２２を介して、タグ用フラッシュメモリ１８内のタグ用階層構造情報メモリ１８ｂ２に記憶される。このように、タグ用フラッシュメモリ１８に記憶されている情報は、リーダ・ライタ装置３０から送信される情報によって書き換えられる。
【００６０】
また、タグ用フラッシュメモリ１８に記憶された情報は、タグ用ディスプレイ１２に表示することができる。例えば、階層構造情報の表示を行う場合は、タグ用ＣＰＵ１５は、タグ用階層構造情報メモリ１８ｂ２に記憶された階層構造情報を用いて、タグ用ディスプレイ１２に階層構造情報の表示を行うように命令する。このタグ用ＣＰＵ１５の命令により、タグ用ディスプレイ１２に階層構造情報の表示が行われる。
【００６１】
ここで、図４を参照して、タグ用ディスプレイ１２に表示される階層構造情報について説明する。図４（ａ）は、タグ用ディスプレイ１２に階層構造情報を表示させた場合を模式的に示した図であり、図４（ｂ）は、タグ用ディスプレイ１２に階層構造情報のうちのラベル名のみを表示させた場合を模式的に示した図である。
【００６２】
図４（ａ）に示すように、タグ用ディスプレイ１２には、タグ用階層構造情報メモリ１８ｂ２に記憶された階層構造情報（全ての階層位置情報５１ｂ３〜５８ｂ３を有する情報）の一覧が表示される。このように、タグ用ディスプレイ１２に階層構造情報の一覧を表示することで、操作者は無線タグ装置１０同士の関連を一目で知ることができる。
【００６３】
また、図４（ｂ）に示すように、タグ用ディスプレイ１２には、階層構造情報のうちのラベル名のみを表示することもできる。タグ用ディスプレイ１２にラベル名を表示する場合には、リーダ・ライタ装置３０の十字ボタン３５の操作に応じて無線タグ装置１０に命令信号を送信し、無線タグ装置１０が表示するラベル名を変化させるようにする。例えば（ア）に示すようにラベル名「Ｅ１」がタグ用ディスプレイ１２に表示されているときにリーダ・ライタ装置３０の十字ボタン３５の上が押下された場合には、（イ）に示すようにラベル名「Ｅ１」の１つ上位層のラベル名「Ｄ１」がタグ用ディスプレイ１２に表示される。また、（ア）に示すようにラベル名「Ｅ１」がタグ用ディスプレイ１２に表示されているときにリーダ・ライタ装置３０の十字ボタン３５の下が押下された場合には、（ウ）に示すようにラベル名「Ｅ１」の１つ下位層のラベル名「Ｆ１」がタグ用ディスプレイ１２に表示される。また、（ア）に示すようにラベル名「Ｅ１」がタグ用ディスプレイ１２に表示されているときにリーダ・ライタ装置３０の十字ボタン３５の左右いずれかが押下された場合には、（エ）に示すようにラベル名「Ｅ１」と同位層のラベル名「Ｅ２」がタグ用ディスプレイ１２に表示される。このように、無線タグ装置１０のタグ用ディスプレイ１２にラベル名のみを表示することで、バインダー２に綴じられた書類３（図１参照）の内容を表示させることができる。
【００６４】
図２の説明に戻る。タグ用階層構造情報メモリ１８ｂ２に記憶された階層構造情報の送信を行う場合は、タグ用ＣＰＵ１５によりタグ用階層構造情報メモリ１８ｂ２から階層構造情報の読み出し命令が行われ、タグ用入出力ポート１９を介してタグ用送受信機１４へ階層構造情報が出力される。出力された階層構造情報は、タグ用送受信機１４により高周波電流信号に変換され、タグ用アンテナ１１から送信される。
【００６５】
上記のように、リーダ・ライタ装置３０から送信された情報によってタグ用フラッシュメモリ１８に情報が記憶されると、無線タグ装置１０は、タグ用ディスプレイ１２に記憶された情報の表示を行い、更には、無線タグ装置１０に記憶された情報を送信することができる。
【００６６】
次に、図２（ｂ）を参照して、リーダ・ライタ装置３０の電気的構成を説明する。リーダ・ライタ装置３０によって情報が作成され、作成された情報がリーダ・ライタ装置３０に記憶されると、または、無線タグ装置１０から送信された情報によってリーダ・ライタ装置３０に情報が記憶されると、ディスプレイ３２に記憶された情報の表示を行い、更には、無線タグ装置１０に情報を送信することが可能となる。
【００６７】
リーダ・ライタ装置３０は、送受信機４６と、ＣＰＵ４７と、ＲＯＭ４８と、ＲＡＭ３８と、フラッシュメモリ３９と、タグ用入出力ポート４０と、アンテナ３１と、ディスプレイ３２と、キーボード３３とを主に有している。
【００６８】
送受信機４６は、送信する情報を高周波電流信号に変えてアンテナ３１に送り出す送信装置と、アンテナ３１が受信した高周波電流信号から必要となる情報を取り出す受信装置とが一体化された装置であり、図２（ｂ）に示すように、アンテナ３１と信号線４１で接続されている。また、送受信機４６は、バスライン４２を介して入出力ポート４０と接続されており、受信された高周波電流信号から必要となる情報を取り出した後に、その取り出した情報を入出力ポート４０に出力する機能と、入出力ポート４０から入力された情報を受け取る機能を有している。
【００６９】
よって、無線タグ装置１０からの電波をアンテナ３１が受信した場合は、アンテナ３１によって受信した電波が高周波電流信号に変換され、その高周波電流信号は信号線４１を介して送受信機４６に入力される。そして、送受信機４６は、入力された高周波電流信号から必要な情報を取り出し、その取り出した情報を、バスライン４２を介して入出力ポート４０に出力する。また、リーダ・ライタ装置３０から無線タグ装置１０に情報を送信する場合は、送受信機４６は、入出力ポート４０から出力された情報を、バスライン４２を介して受け取り、その受け取った情報を高周波電流信号に変換し、アンテナ３１に出力する。その出力された高周波電流信号はアンテナ３１により電波に変換され、無線タグ装置１０に送信される。
【００７０】
ＣＰＵ４７は、各部を制御する演算装置である。ＲＯＭ４８は、ＣＰＵ４７により実行される制御プログラム（例えば、図６から図１２に示す処理）と機能選択処理（図６参照）で使用される機能選択処理テーブル４８ａとを主に格納した書き換え不能な不揮発性のメモリであり、ＲＡＭ３８は、制御プログラムの実行時に利用する無線タグ装置１０から送信された情報を一時的に記憶するメモリであり、フラッシュメモリ３９は、無線タグ装置１０へ送信する情報を記憶する書き換え可能な不揮発性のメモリである。フラッシュメモリ３９に記憶される各種情報は、入出力ポート４０にバスライン４５を介して接続されるキーボード３３からの入力により変更することができる。また、フラッシュメモリ３９に記憶される各種情報は、入出力ポート４０に接続されたバスライン４４を介してディスプレイ３２に表示することができる。
【００７１】
ＲＡＭ３８は、受信用ラベル名情報メモリ３８ａと受信用関連情報メモリ３８ｂとを有している。受信用ラベル名情報メモリ３８ａは、無線タグ装置１０のタグ用ラベル名情報メモリ１８ａに記憶されたラベル名情報が無線タグ装置１０から送信された場合に、送信されたラベル名情報を一時的に記憶するメモリである。
【００７２】
受信用関連情報メモリ３８ｂは、無線タグ装置１０から送信された関連情報（グループ名情報および階層構造情報）を一時的に記憶するメモリであり、受信用グループ名情報メモリ３８ｂ１および受信用階層構造情報メモリ３８ｂ２を有している。受信用グループ名情報メモリ３８ｂ１は、無線タグ装置１０のタグ用グループ名情報メモリ１８ｂ１に記憶されたグループ名情報が無線タグ装置１０から送信された場合に、送信されたグループ名情報を記憶するメモリである。
【００７３】
また、受信用階層構造情報メモリ３８ｂ２は、無線タグ装置１０のタグ用階層構造情報メモリ１８ｂ２に記憶された階層構造情報が無線タグ装置１０から送信された場合に、送信された階層構造情報を記憶するメモリである。
【００７４】
ＲＡＭ３８に記憶された情報は、無線タグ装置１０から送信される情報によって書き換えられる。例えば、無線タグ装置１０から階層構造情報が変換された電波が送信されると、その電波がアンテナ３１に受信され、送受信機４６により階層構造情報が取り出され、その取り出された階層構造情報はバスライン４２を介して入出力ポート４０に出力される。そして、ＣＰＵ４７により、取り出された階層構造情報の記憶命令が行われ、取り出された階層構造情報はバスライン４３を介して、ＲＡＭ３８内の受信用階層構造情報メモリ３８ｂ２に記憶される。
【００７５】
また、ＲＡＭ３８に記憶された情報は、キーボード３３の操作により、ディスプレイ３２に表示することができる。例えば、キーボード３３の操作により階層構造情報の読み出し操作が行われたときは、ＣＰＵ４７により受信用階層構造情報メモリ３８ｂ２に記憶された階層構造情報の読み出し命令が行われ、階層構造情報が読み出される。ＣＰＵ４７は読み出された階層構造情報を用いて、ディスプレイ３２に階層構造情報の表示を行うように命令する。この命令により、ディスプレイ３２に階層構造情報の表示が実行される。
【００７６】
更に、ＲＡＭ３８に記憶された情報は、キーボード３３からの入力によって書き換えることができる。上記のように、無線タグ装置１０から送信された情報をリーダ・ライタ装置３０が受信することによってＲＡＭ３８に情報が記憶されると、記憶された情報をディスプレイ３２に表示することができる。
【００７７】
フラッシュメモリ３９は、機能カウンタ３９ａと、記憶用ラベル名情報メモリ３９ｂと、記憶用関連情報メモリ３９ｃと、送信済メモリ３９ｄとを有している。機能カウンタ３９ａは、リーダ・ライタ装置３０の有する機能（図６参照）を変更する機能カウンタ値を記憶するメモリである。記憶用ラベル名情報メモリ３９ｂは、無線タグ装置１０に送信するラベル名情報を記憶するメモリである。
【００７８】
記憶用関連情報メモリ３９ｃは、記憶用グループ名情報メモリ３９ｃ１と記憶用階層構造情報メモリ３９ｃ２とを有している。記憶用グループ名情報メモリ３９ｃ１は、無線タグ装置１０に送信するグループ名情報を記憶するメモリであり、記憶用階層構造情報メモリ３９ｃ２は、無線タグ装置１０に送信する階層構造情報を記憶するメモリである。送信済メモリ３９ｄは、リーダ・ライタ装置３０が階層構造情報を送信した無線タグ装置１０のラベル名情報を記憶するメモリである。
【００７９】
記憶用ラベル名情報メモリ３９ｂおよび記憶用関連情報メモリ３９ｃにそれぞれ記憶されたラベル名情報および関連情報は、キーボード３３の操作により、ディスプレイ３２に表示することができる。例えば、キーボード３３の操作により階層構造情報の読み出し操作が行われたときは、ＣＰＵ４７により記憶用階層構造情報メモリ３９ｃ２に記憶された階層構造情報の読み出し命令が行われ、階層構造情報が読み出される。ＣＰＵ４７は読み出された階層構造情報を用いて、ディスプレイ３２に階層構造情報の表示を行うように命令する。この命令により、ディスプレイ３２に階層構造情報の表示が実行される。
【００８０】
ここで、図５を参照して、ディスプレイ３２に表示される階層構造情報について説明する。図５（ａ）は、ディスプレイ３２に階層構造情報を表示させた場合を模式的に示した図であり、図５（ｂ）は、ディスプレイ３２に階層構造情報のうちのラベル名のみを表示させた場合を模式的に示した図である。
【００８１】
図５（ａ）に示すように、ディスプレイ３２には、記憶用階層構造情報メモリ３９ｃ２に記憶された階層構造情報（全ての階層位置情報５１ｂ３〜５８ｂ３を有する情報）の一覧が表示される。このように、ディスプレイ３２に階層構造情報の一覧を表示することで、操作者は無線タグ装置１０同士の関連を一目で知ることができる。
【００８２】
また、図５（ｂ）に示すように、ディスプレイ３２には、階層構造情報のうちのラベル名のみを表示することもできる。ディスプレイ３２にラベル名を表示する場合には、リーダ・ライタ装置３０の十字ボタン３５の操作に応じて表示するラベル名を変化させるようにする。例えば（ア）に示すようにラベル名「Ｅ１」がディスプレイ３２に表示されているときにリーダ・ライタ装置３０の十字ボタン３５の上が押下された場合には、（イ）に示すようにラベル名「Ｅ１」の１つ上位層のラベル名「Ｄ１」がディスプレイ３２に表示される。また、（ア）に示すようにラベル名「Ｅ１」がディスプレイ３２に表示されているときにリーダ・ライタ装置３０の十字ボタン３５の下が押下された場合には、（ウ）に示すラベル名「Ｅ１」の１つ下位層のラベル名５５ｂ２である「Ｆ１」がディスプレイ３２に表示される。また、（ア）に示すようにラベル名「Ｅ１」がディスプレイ３２に表示されているときにリーダ・ライタ装置３０の十字ボタン３５の左右のいずれかが押下された場合には、（エ）に示すようにラベル名「Ｅ１」と同位層のラベル名「Ｅ２」がディスプレイ３２に表示される。
【００８３】
また、キーボード３３の操作により、階層構造情報（全ての階層位置情報５１ｂ３〜５８ｂ３を有する情報）の送信が指示された場合は、ＣＰＵ４７により記憶用階層構造情報メモリ３９ｃ２から階層構造情報の読み出し命令が行われ、入出力ポート４０を介して送受信機４６へ階層構造情報が出力される。出力された階層構造情報は、送受信機４６により高周波電流に変換され、アンテナ３１から送信される。
【００８４】
更に、キーボード３３の操作によりラベル名情報または関連情報（グループ名情報および階層構造情報）が作成された場合は、作成されたラベル名情報は記憶用ラベル名情報メモリ３９ｂに記憶され、作成された関連情報は記憶用関連情報メモリ３９ｃにそれぞれ記憶される。なお、キーボード３３の入力によりグループ名情報が作成された場合は、作成されたグループ名情報は、記憶用グループ名情報メモリ３９ｃ１に記憶され、キーボード３３の入力により階層構造情報が作成された場合は、作成された階層構造情報は、記憶用階層構造情報メモリ３９ｃ２に記憶される。
【００８５】
上記のように、キーボード３３の操作によってラベル名情報、グループ名情報および階層構造情報が作成され、ラベル名情報が記憶用ラベル名情報メモリ３９ｂに記憶され、グループ名情報が記憶用グループ名情報メモリ３９ｃ１に記憶され、階層構造情報が記憶用階層構造情報メモリ３９ｃ２に記憶されると、リーダ・ライタ装置３０はディスプレイ３２に上記の情報の表示を行うことができる。更には、記憶用ラベル名情報メモリ３９ｂに記憶されたラベル名情報、記憶用グループ名情報メモリ３９ｃ１に記憶されたグループ名情報および記憶用階層構造情報メモリ３９ｃ２に記憶された階層構造情報は無線タグ装置１０へ送信することができる。
【００８６】
次に、図６を参照して、機能選択処理を説明する。図６（ａ）は、機能選択処理を示したフローチャートであり、図６（ｂ）は機能選択処理テーブルメモリ４８ａの内容を示した図である。機能選択処理では、機能カウンタ３９ａの値を用いて、リーダ・ライタ装置３０の機能を設定する。ここで、機能選択処理により、機能カウンタ３９ａの値が０であるときは、機能選択処理テーブルメモリ４８ａから最上位タグ構築処理が選択され、リーダ・ライタ装置３０のディスプレイ３２に最上位タグ構築処理が表示される。機能カウンタ３９ａの値が１であるときは、機能選択処理テーブルメモリ４８ａから付属タグ構築処理が選択され、リーダ・ライタ装置３０のディスプレイ３２に付属タグ構築処理が表示される。機能カウンタ３９ａの値が２であるときは、機能選択処理テーブルメモリ４８ａから情報転送処理が選択され、リーダ・ライタ装置３０のディスプレイ３２に情報転送処理が表示される。また、機能カウンタ３９ａの値が３であるときは、機能選択処理テーブルメモリ４８ａから参照処理が選択され、リーダ・ライタ装置３０のディスプレイ３２に参照処理が表示される。なお、機能選択処理は、リーダ・ライタ装置３０の機能ボタン３６が押下されると実行される処理である。
【００８７】
機能選択処理が実行されると、機能選択処理の一覧をディスプレイ３２に表示させる（Ｓ１）。その後、操作者により最上位タグ構築処理が選択されたか否かが判定され（Ｓ２）、操作者により最上位タグ構築処理が選択された場合には（Ｓ２：Ｙｅｓ）、機能カウンタ３９ａの値を０（ゼロ）に設定し、最上位タグ構築処理をディスプレイ３２に表示して（Ｓ３）、機能選択処理を終了する。
【００８８】
一方、操作者により最上位タグ構築処理が選択されていない場合には（Ｓ２：Ｎｏ）、付属タグ構築処理が選択されたか否かが判定される（Ｓ４）。操作者により付属タグ構築処理が選択された場合には（Ｓ４：Ｙｅｓ）、機能カウンタ３９ａの値を１に設定し、付属タグ構築処理をディスプレイ３２に表示して（Ｓ５）、機能選択処理を終了する。
【００８９】
一方、操作者により付属タグ構築処理が選択されていない場合には（Ｓ４：Ｎｏ）、情報整合処理が選択されたか否かが判定される（Ｓ６）。操作者により情報整合処理が選択された場合には（Ｓ６：Ｙｅｓ）、機能カウンタ３９ａの値を２に設定し、情報整合処理をディスプレイ３２に表示して（Ｓ７）、機能選択処理を終了する。
【００９０】
一方、操作者により情報整合処理が選択されていない場合には（Ｓ６：Ｎｏ）、機能カウンタ３９ａの値を３に設定し、参照処理をディスプレイ３２に表示して（Ｓ８）、機能選択処理を終了する。この機能選択処理によって、リーダ・ライタ装置３０の機能処理の設定が完了する。このようにして、機能選択処理では、機能カウンタ３９ａの値を用い、リーダ・ライタ装置３０の機能を設定する。
【００９１】
次に、図７を参照して、最上位タグ構築処理について説明する。図７は、リーダ・ライタ装置３０により実行される最上位タグ構築処理を示したフローチャートである。最上位タグ構築処理は、リーダ・ライタ装置３０を用いて、階層構造（図３参照）の最上位に配置される無線タグ装置１０にグループ名情報とラベル名情報とを設定し、その後、階層構造情報を作成する処理である。最上位タグ構築処理は、図６の機能選択処理により最上位タグ構築処理が設定された場合に、機能選択処理終了後に実行される処理である。
【００９２】
最上位タグ構築処理では、まず、最上位としたい無線タグ装置１０にリーダ・ライタ装置３０を近づけるようディスプレイ３２に表示する（Ｓ１０）。このディスプレイ３２の表示に従い、操作者が最上位としたい無線タグ装置１０にリーダ・ライタ装置３０を近づけると、リーダ・ライタ装置３０は、最上位とする無線タグ装置１０にラベル名情報およびグループ名情報を送信するように要求する（Ｓ１１）。なお、最上位とする無線タグ装置１０へのラベル名情報およびグループ名情報の送信の要求は、操作者がリーダ・ライタ装置３０の決定ボタン３７の押下後に行っても良いし、最上位としたい無線タグ装置１０にリーダ・ライタ装置３０を近づけるようにディスプレイ３２に表示した後に、数秒待機してからリーダ・ライタ装置３０が自動的に行っても良い。
【００９３】
Ｓ１１の処理後、最上位とする無線タグ装置１０から送信されたラベル名情報を受信用ラベル名情報メモリ３８ａに記憶し、送信されたグループ名情報を受信用グループ名情報メモリ３８ｂ１に記憶し（Ｓ１２）、Ｓ１３以降の処理に移行する。
【００９４】
ここで、リーダ・ライタ装置３０と無線タグ装置１０との無線通信について説明する。リーダ・ライタ装置３０から送信要求信号が送信され、この送信要求信号が送信中のときに、操作者が無線タグ装置１０にリーダ・ライタ装置３０を近づけることにより、無線タグ装置１０に送信要求信号が受信される。そして、送信要求信号を受信した無線タグ装置１０は、リーダ・ライタ装置３０に要求された情報を送信する。なお、リーダ・ライタ装置３０は、要求された情報を受信すると、送信要求信号の送信を停止する。
【００９５】
Ｓ１３の処理においては、ラベル名情報およびグループ名情報が入力されているか否かを判定する（Ｓ１３）。ラベル名情報が入力されているか否かは、受信用ラベル名情報メモリ３８ａにラベル名情報が存在するか否かにより判定され、グループ名情報が入力されているか否かは、受信用グループ名情報メモリ３８ｂ１にグループ名情報が存在するか否かにより判定される。
【００９６】
Ｓ１３の処理において、ラベル名情報およびグループ名情報が入力されていると判定された場合は（Ｓ１３：Ｙｅｓ）、無線タグ装置１０はすでに使用されており、ラベル名情報およびグループ名情報が入力されている。よって、既に入力されているラベル名情報およびグループ名情報が新たに入力するラベル名情報およびグループ名情報に上書きされることをディスプレイ３２に表示する（Ｓ１３Ａ）。このディスプレイ３２の表示により、操作者は、既に入力されているラベル名情報およびグループ名情報が上書きされることを認識することができる。
【００９７】
Ｓ１３Ａの処理後、入力されているラベル名情報およびグループ名情報に、新たに入力するラベル名情報およびグループ名情報を上書きするか否か（Ｓ１４）、即ち、既に入力されているラベル名情報およびグループ名情報を新たに入力するラベル名情報およびグループ名情報に変更するか否かを判定する（Ｓ１４）。
【００９８】
Ｓ１４の処理において、既に入力されているラベル名情報およびグループ名情報を上書きすると判定された場合（Ｓ１４：Ｙｅｓ）、即ち、設定されているラベル名情報およびグループ名情報を変更すると判定された場合は、設定されているラベル名情報およびグループ名情報に上書きするラベル名情報およびグループ名情報をリーダ・ライタ装置３０に新たに入力する処理であるＳ１５以降の処理に移行する。
【００９９】
Ｓ１３の処理において、ラベル名情報およびグループ名情報が入力されていないと判定された場合は（Ｓ１３：Ｎｏ）、無線タグ装置１０は未使用であり、ラベル名情報およびグループ名情報が入力されていない。この場合においても、ラベル名情報およびグループ名情報を入力する処理であるＳ１５以降の処理に移行する。
【０１００】
Ｓ１５の処理においては、無線タグ装置１０に入力するラベル名情報およびグループ名情報を入力するように操作者に指示する（Ｓ１５）。Ｓ１５の指示後、キーボード３３を介して操作者により入力されたラベル名情報を記憶用ラベル名情報メモリ３９ｂに記憶し、入力されたグループ名情報を記憶用グループ名情報メモリ３９ｃ１に記憶する（Ｓ１６）。その後、Ｓ２０以降の処理に移行する。
【０１０１】
Ｓ１４の処理において、既に入力されているラベル名情報およびグループ名情報を上書きしないと判定された場合（Ｓ１４：Ｎｏ）には、既に入力されているラベル名情報は変更せずに、既に入力されているグループ名情報のみを変更する（所属するグループ名のみ変更する）ということであるので、受信用ラベル名情報メモリ３８ａに記憶されたラベル名情報を記憶用ラベル名情報メモリ３９ｂに転送し、記憶する（Ｓ１７）。その後、グループ名情報を新たに入力するように操作者に指示して（Ｓ１８）、操作者によりリーダ・ライタ装置３０に入力されたグループ名情報を記憶用グループ名情報メモリ３９ｃ１に記憶する（Ｓ１９）。その後、Ｓ２０以降の処理に移行する。
【０１０２】
Ｓ２０の処理においては、記憶用グループ名情報メモリ３９ｃ１に記憶されたグループ名情報で、最上位とする無線タグ装置１０の階層構造情報を作成し（Ｓ２０）、その後Ｓ２１以降の処理に移行する。上記のＳ１５の処理からＳ２０までの処理により、例えば、グループ名情報を「グループＡ」とし、ラベル名情報を「Ｂ１」とした場合には、図３に示すように、階層位置情報５１ｂ３（「Ａ：￥Ｂ１」）が階層構造情報として作成される。
【０１０３】
Ｓ２１の処理においては、作成した階層構造情報を記憶用階層構造情報メモリ３９ｃ２に記憶し（Ｓ２１）、その後Ｓ２１Ａの処理に移行する。このＳ２１までの処理により、記憶用ラベル名情報メモリ３９ｂにはラベル名情報が記憶され、記憶用関連情報メモリ３９ｃには関連情報（グループ名情報と階層構造情報）が記憶される。
【０１０４】
Ｓ２１Ａの処理においては、最上位とする無線タグ装置１０にリーダ・ライタ装置３０を近づけるようディスプレイ３２に表示する（Ｓ２１Ａ）。このディスプレイ３２の表示に従い、操作者が最上位としたい無線タグ装置１０にリーダ・ライタ装置３０を近づけると、リーダ・ライタ装置３０は、記憶用ラベル名情報メモリ３９ｂに記憶されたラベル名情報と、記憶用関連情報メモリ３９ｃに記憶された関連情報（グループ名情報と階層構造情報）とを最上位とする無線タグ装置１０に送信する（Ｓ２２）。このＳ２２の処理により、リーダ・ライタ装置３０によって作成されたラベル名情報、グループ名情報および階層構造情報が最上位とする無線タグ装置１０に記憶される。なお、Ｓ２２の送信後、リーダ・ライタ装置３０が階層構造情報を送信した無線タグ装置１０を記憶しておくために、記憶用ラベル名情報メモリ３９ｂに記憶されたラベル名情報を、送信済メモリ３９ｄに転送し、記憶しておく。Ｓ２２の送信後、この最上位タグ構築処理を終了する。
【０１０５】
この最上位タグ構築処理により、リーダ・ライタ装置３０を用いて、階層構造（図３参照）の最上位に配置される無線タグ装置１０のグループ名情報とラベル名情報と階層構造情報とを作成することができる。
【０１０６】
次に、図８を参照して付属タグ構築処理を説明する。図８は、付属タグ構築処理を示したフローチャートである。付属タグ構築処理は、無線タグ装置１０の階層構造情報が既に作成されている場合に、その作成された階層構造情報に新たに無線タグ装置１０を追加して、既に作成されている階層構造情報を更新する処理である。付属タグ構築処理は、図６の機能選択処理により付属タグ構築処理が設定され、機能選択処理が終了した場合に実行される処理である。
【０１０７】
付属タグ構築処理では、まず、追加する対象の無線タグ装置１０にリーダ・ライタ装置３０を近づけるようディスプレイ３２に表示する（Ｓ３０）。このディスプレイ３２の表示に従い、操作者が追加する対象の無線タグ装置１０にリーダ・ライタ装置３０を近づけると、リーダ・ライタ装置３０は、階層構造情報（全ての階層位置情報５１ｂ３〜５８ｂ３を有する情報）に追加する対象の無線タグ装置１０へラベル名情報の送信を要求する（Ｓ３１）。次に、追加対象の無線タグ装置１０から送信されたラベル名情報を、リーダ・ライタ装置３０の受信用ラベル名情報メモリ３８ａに記憶する（Ｓ３２）。
【０１０８】
Ｓ３２の処理後、ラベル名情報が入力されているか否かを判定する（Ｓ３３）。ラベル名情報が入力されているか否かは、受信用ラベル名情報メモリ３８ａにラベル名情報が存在するか否かにより判定される。ここで、ラベル名情報が入力されているか否かを判定するのみで、グループ名情報が入力されているか否かを判定しないのは、既に作成されている階層構造情報（全ての階層位置情報５１ｂ３〜５８ｂ３を有する情報）に新たに無線タグ装置１０を追加する場合には、その新たに追加する無線タグ装置１０のグループ名情報は、既に作成されている階層構造情報のグループ名と同一であるので、後に説明するＳ４０の処理により、既に作成されている階層構造情報のグループ名をそのまま用いるからである。
【０１０９】
Ｓ３３の処理において、ラベル名情報が入力されていると判定された場合は（Ｓ３３：Ｙｅｓ）、追加対象の無線タグ装置１０はすでに使用されており、ラベル名情報が入力されている。よって、既に入力されているラベル名情報に、新たに入力するラベル名情報を上書きするか否か（Ｓ３４）、即ち、既に入力されているラベル名情報をこれから入力するラベル名情報に変更するか否かを判定する（Ｓ３４）。なお、このＳ３４判定においては、Ｓ３４の判定前に、リーダ・ライタ装置３０が、入力されているラベル名情報に、新たに入力するラベル名情報を上書きするか否かを操作者に報知する。そして、操作者がリーダ・ライタ装置３０のキーボード３３を用いて入力した報知に対する応答を用いてＳ３４の判定が行われる。
【０１１０】
Ｓ３４の処理において、既に入力されているラベル名情報を上書きすると判定された場合（Ｓ３４：Ｙｅｓ）、即ち、設定されているラベル名情報を変更すると判定された場合は、設定されているラベル名情報に上書きするラベル名情報をリーダ・ライタ装置３０に入力する処理であるＳ３５以降の処理に移行する。
【０１１１】
Ｓ３３の処理において、ラベル名情報が入力されていないと判定された場合は（Ｓ３３：Ｎｏ）、追加対象の無線タグ装置１０は未使用であり、ラベル名情報が記憶されていない。この場合においても、ラベル名情報をリーダ・ライタ装置３０に入力する処理であるＳ３５以降の処理に移行する。
【０１１２】
Ｓ３５の処理においては、追加対象の無線タグ装置１０に新たに入力するラベル名情報を入力するように操作者に指示する（Ｓ３５）。Ｓ３５の指示によって、操作者により作成されたラベル名情報を記憶用ラベル名情報メモリ３９ｂに記憶する（Ｓ３６）。その後、Ｓ３８以降の処理に移行する。
【０１１３】
Ｓ３４の処理において、既に入力されたラベル名情報を上書きしないと判定された場合には（Ｓ３４：Ｎｏ）、既に入力されているラベル名情報を変更せずにそのまま使用するということであるので、受信用ラベル名情報メモリ３８ａに記憶されたラベル名情報を記憶用ラベル名情報メモリ３９ｂに転送し、記憶する（Ｓ３７）。その後、Ｓ３７Ａ以降の処理に移行する。
【０１１４】
Ｓ３７Ａの処理においては、基準とする無線タグ装置１０にリーダ・ライタ装置３０を近づけるようディスプレイ３２に表示する（Ｓ３７Ａ）。このディスプレイ３２の表示に従い、基準とする無線タグ装置１０に操作者がリーダ・ライタ装置３０を近づけると、リーダ・ライタ装置３０は、基準とする無線タグ装置１０に関連情報（グループ名情報と階層構造情報）を送信するように要求し（Ｓ３８）、Ｓ３９以降の処理に移行する。ここで、例えば、図３に示す階層構造のように、ラベル名「Ｂ１」、ラベル名「Ｃ１」、ラベル名「Ｄ１」、ラベル名「Ｅ１」、ラベル名「Ｅ２」、ラベル名「Ｅ３」、ラベル名「Ｆ１」、およびラベル名「Ｆ２」の８つの無線タグ装置１０が存在するときに、ラベル名「Ｅ１」の下位層に新たにラベル名「Ｆ３」の無線タグ装置１０を構築する場合には、基準となる無線タグ装置１０は、ラベル名「Ｅ１」の無線タグ装置１０、または、ラベル名「Ｆ１」の無線タグ装置１０又はラベル名「Ｆ２」の無線タグ装置１０となる。
【０１１５】
即ち、基準とする無線タグ装置１０とは、既に階層構造情報が作成されている無線タグ装置１０であり且つ付属タグ構築処理によって階層構造情報に追加する無線タグ装置１０の１つ上位層または同位層となる。よって、Ｓ３７Ａの処理により、ディスプレイ３２の表示を見た操作者は、新たに追加したい無線タグ装置１０の上位層または同位層のいずれかの基準となる無線タグ装置１０にリーダ・ライタ装置３０を近づけることになる。
【０１１６】
Ｓ３９の処理においては、基準とする無線タグ装置１０から送信された関連情報（グループ名情報と階層構造情報）を受信用関連情報メモリ３８ｂに記憶し（グループ名情報は受信用グループ名情報メモリ３８ｂ１に記憶し、階層構造情報は受信用階層構造情報メモリ３８ｂ２にそれぞれ記憶し）（Ｓ３９）、受信用グループ名情報メモリ３８ｂ１に記憶されたグループ名情報を記憶用グループ名情報メモリ３９ｃ１に転送し、記憶する（Ｓ４０）。その後、Ｓ４１の階層構造情報構築処理に移行する。
【０１１７】
ここで、図９を用いてＳ４１の階層構造情報構築処理について説明する。図９は、階層構造情報構築処理を示したフローチャートである。階層構造情報構築処理は、基準とする無線タグ装置１０から送信された階層構造情報を利用して、既に作成されている階層構造情報に新たに無線タグ装置１０を追加して、既に作成されている階層構造情報を更新する処理である。
【０１１８】
階層構造情報構築処理では、まず、受信用階層構造情報メモリ３８ｂ２に記憶された基準とする無線タグ装置１０の階層構造情報をディスプレイ３２に表示し（Ｓ５１）、基準とする無線タグ装置１０に対する追加対象の無線タグ装置１０の階層位置を決定するよう、ディスプレイ３２に表示する（Ｓ５１Ａ）。
【０１１９】
Ｓ５１Ａの処理後、Ｓ５２の処理で、追加対象の無線タグ装置１０が基準とする無線タグ装置１０に対して下位層であると判定された場合は（Ｓ５２：下位層）、Ｓ５３の処理に移行し、受信用階層構造情報メモリ３８ｂ２に記憶された階層構造情報を利用し、追加対象の無線タグ装置１０を基準とする無線タグ装置１０の下位層として、階層位置情報を作成する（Ｓ５３）。その後、Ｓ５５の処理に移行する。
【０１２０】
このＳ５３の処理においては、例えば、ラベル名「Ｅ１」である基準とする無線タグ装置１０の階層構造情報が、リーダ・ライタ装置３０の受信用階層構造情報メモリ３８ｂ２に記憶されているときに、ラベル名「Ｆ３」である追加対象の無線タグ装置１０を、基準とする無線タグ装置１０であるラベル名「Ｅ１」の下位層として階層位置情報を作成する場合には、まず、受信用階層構造情報メモリ３８ｂ２に記憶されている階層構造情報から、基準とする無線タグ装置１０であるラベル名「Ｅ１」の階層位置情報５４ｂ３（図３参照）を選出する。階層位置情報５４ｂ３の選出後、基準とする無線タグ装置１０であるラベル名「Ｅ１」の階層位置情報５４ｂ３を利用して、ラベル名「Ｅ１」の階層位置情報５４ｂ３の「Ａ：￥Ｂ１￥Ｃ１￥Ｄ１￥Ｅ１」の「￥Ｅ１」の下位層に、追加対象の無線タグ装置１０のラベル名である「￥Ｆ３」を付け加え、ラベル名「Ｆ３」である追加対象の無線タグ装置１０の階層位置情報「Ａ：￥Ｂ１￥Ｃ１￥Ｄ１￥Ｅ１￥Ｆ３」を作成する。
【０１２１】
Ｓ５２の処理において、追加対象の無線タグ装置１０が基準とする無線タグ装置１０に対して同位層であると判定された場合は（Ｓ５２：同位層）、Ｓ５４の処理に移行し、受信用階層構造情報メモリ３８ｂ２に記憶された階層構造情報を利用し、追加対象の無線タグ装置１０を基準とする無線タグ装置１０の同位層として、階層位置情報を作成する（Ｓ５４）。その後、Ｓ５５の処理に移行する。
【０１２２】
このＳ５４の処理においては、例えば、ラベル名「Ｆ１」である基準とする無線タグ装置１０の階層構造情報が、リーダ・ライタ装置３０の受信用階層構造情報メモリ３８ｂ２に記憶されているときに、ラベル名「Ｆ３」である追加対象の無線タグ装置１０を、基準とする無線タグ装置１０であるラベル名「Ｅ１」の同位層として階層位置情報を作成する場合には、まず、受信用階層構造情報メモリ３８ｂ２に記憶されている階層構造情報から、基準とする無線タグ装置１０であるラベル名「Ｆ１」の階層位置情報５５ｂ３（図３参照）を選出する。階層位置情報５５ｂ３の選出後、基準とする無線タグ装置１０であるラベル名「Ｆ１」の階層位置情報５５ｂ３を利用して、ラベル名「Ｆ１」の階層位置情報５５ｂ３の「Ａ：￥Ｂ１￥Ｃ１￥Ｄ１￥Ｅ１￥Ｆ１」の「￥Ｆ１」を追加対象の無線タグ装置１０のラベル名である「￥Ｆ３」に書き換えて、ラベル名「Ｆ３」である追加対象の無線タグ装置１０の階層位置情報「Ａ：￥Ｂ１￥Ｃ１￥Ｄ１￥Ｅ１￥Ｆ３」を作成する。
【０１２３】
Ｓ５５の処理においては、上記のＳ５３の処理またはＳ５４の処理で作成された階層位置情報を記憶用階層構造情報メモリ３９ｃ２に記憶し（Ｓ５５）、Ｓ５６以降の処理に移行する。Ｓ５６の処理においては、記憶用階層構造情報メモリ３９ｃ２に記憶された階層位置情報を、受信用階層構造情報メモリ３８ｂ２に記憶された階層構造情報に追加して、記憶用階層構造情報メモリ３９ｃ２に記憶する（Ｓ５６）。その後、Ｓ５７の処理に移行する。
【０１２４】
ここで、Ｓ５６の処理においては、Ｓ５１からＳ５５までの処理で作成された階層位置情報は追加対象の無線タグ装置１０の階層位置情報のみであるので、この追加対象の無線タグ装置１０の階層位置情報を、受信用階層構造情報メモリ３８ｂ２に記憶された、追加対象の無線タグ装置１０を追加する前の階層構造情報に追加して、階層構造情報を作成して、記憶用階層構造情報メモリ３９ｃ２に記憶するのである。
【０１２５】
Ｓ５６の処理について例を用いて説明する。ここでは、図３に示すように、ラベル名「Ｂ１」、ラベル名「Ｃ１」、ラベル名「Ｄ１」、ラベル名「Ｅ１」、ラベル名「Ｅ２」、ラベル名「Ｅ３」、ラベル名「Ｆ１」、およびラベル名「Ｆ２」の８つの無線タグ装置１０が存在するときに、新たにラベル名「Ｅ１」の下位層にラベル名「Ｆ３」の無線タグ装置１０を構築する場合について説明する。ラベル名「Ｅ１」である基準とする無線タグ装置１０のタグ用階層構造情報メモリ１８ｂ２に記憶された階層構造情報が、受信用階層構造情報メモリ３８ｂ２に記憶されている場合には、上記のＳ５３の処理において、ラベル名「Ｆ３」の無線タグ装置１０の階層位置情報である「Ａ：￥Ｂ１￥Ｃ１￥Ｄ１￥Ｅ１￥Ｆ３」を作成し、作成された階層位置情報「Ａ：￥Ｂ１￥Ｃ１￥Ｄ１￥Ｅ１￥Ｆ３」を、受信用階層構造情報メモリ３８ｂ２に記憶された階層構造情報（階層位置情報５１ｂ３（図３参照）である「Ａ：￥Ｂ１」と、階層位置情報５２ｂ３（図３参照）である「Ａ：￥Ｂ１￥Ｃ１」と、階層位置情報５３ｂ３（図３参照）である「Ａ：￥Ｂ１￥Ｃ１￥Ｄ１」と、階層位置情報５４ｂ３（図３参照）である「Ａ：￥Ｂ１￥Ｃ１￥Ｄ１￥Ｅ１」、階層位置情報５５ｂ３（図３参照）である「Ａ：￥Ｂ１￥Ｃ１￥Ｄ１￥Ｅ１￥Ｆ１」と、階層位置情報５６ｂ３（図３参照）である「Ａ：￥Ｂ１￥Ｃ１￥Ｄ１￥Ｅ１￥Ｆ２」と、階層位置情報５７ｂ３（図３参照）である「Ａ：￥Ｂ１￥Ｃ１￥Ｄ１￥Ｅ２」と、階層位置情報５８ｂ３（図３参照）である「Ａ：￥Ｂ１￥Ｃ１￥Ｄ１￥Ｅ３」と）に追加する。これにより、階層構造情報には、ラベル名「Ｆ３」の無線タグ装置１０の階層位置情報である「Ａ：￥Ｂ１￥Ｃ１￥Ｄ１￥Ｅ１￥Ｆ３」が追加され、追加対象の無線タグ装置１０のラベル名「Ｆ３」を階層構造情報に追加することができる。
【０１２６】
Ｓ５６Ａの処理においては、追加対象となる無線タグ装置１０にリーダ・ライタ装置３０を近づけるようディスプレイに表示する（Ｓ５６Ａ）。このディスプレイ３２の表示に従い、操作者が追加対象となる無線タグ装置１０にリーダ・ライタ装置３０を近づけると、リーダ・ライタ装置３０は、追加対象となる無線タグ装置１０へ記憶用ラベル名情報メモリ３９ｂに記憶されたラベル名情報および記憶用関連情報メモリ３９ｃに記憶された関連情報（グループ名情報と階層構造情報）を送信する（Ｓ５７）。このＳ５７の処理によって、リーダ・ライタ装置３０によって作成されたラベル名情報および関連情報が追加対象の無線タグ装置１０に記憶される。Ｓ５７の送信後、この階層構造情報構築処理を終了する。
【０１２７】
このように、階層構造情報構築処理によって、リーダ・ライタ装置３０により関連情報（グループ名情報と階層構造情報）が作成されると、無線タグ装置１０の１つと、その無線タグ装置１０を除く他の無線タグ装置１０とを関連付けることができる。なお、図１２に示す参照処理によりリーダ・ライタ装置３０により作成された関連情報（グループ名情報と階層構造情報）を用いて、無線タグ装置１０の１つと、その無線タグ装置１０を除く他の無線タグ装置１０との関連を知ることができる。
【０１２８】
また、階層構造構築処理によって、基準となる無線タグ装置１０を除く他の複数の無線タグ装置１０のそれぞれについて、関連情報を基準となる無線タグ装置１０の下位層若しくは同位層を示す階層構造の情報として作成するので、基準となる無線タグ装置１０と、その基準となる無線タグ装置１０を除く他の無線タグ装置１０との関連を、作成された階層構造の情報により容易に把握することができる。
【０１２９】
更には、階層構造構築処理のＳ５２の処理により、追加対象となる無線タグ装置１０を基準となる無線タグ装置１０の同位層に配置するか下位層に配置するかを判定して階層構造情報を作成するので、追加対象となる無線タグ装置１０を同位層または下位層に容易に振り分けることができる。また、階層構造構築処理のＳ５２の処理の前に、Ｓ５１Ａの処理により、基準とする無線タグ装置１０に対する追加対象の無線タグ装置１０の階層位置を決定するよう操作者に報知するので、無線タグ装置１０を配置する位置を操作者が認識することができる。
【０１３０】
図８に戻り、Ｓ４１Ａ以降の処理の説明を行う。Ｓ４１Ａの処理においては、最上位とする無線タグ装置１０にリーダ・ライタ装置３０を近づけるようディスプレイに表示する（Ｓ４１Ａ）。このディスプレイ３２の表示に従い、操作者が最上位とする無線タグ装置１０にリーダ・ライタ装置３０を近づけると、リーダ・ライタ装置３０は、最上位とする無線タグ装置１０へタグ用ラベル名情報メモリ１８ａに記憶されたラベル名情報を送信するよう要求する（Ｓ４２）。
【０１３１】
次に、最上位とする無線タグ装置１０から送信されたラベル名情報を、リーダ・ライタ装置３０の受信用ラベル名情報メモリ３８ａに記憶し（Ｓ４３）、受信用ラベル名情報メモリ３８ａに記憶されたラベル名情報は最上位とする無線タグ装置１０のラベル名情報であるか否かを判定する（Ｓ４４）。ここで、受信用ラベル名情報メモリ３８ａに記憶されたラベル名情報は最上位とする無線タグ装置１０のラベル名情報であるか否かは、受信用ラベル名情報メモリ３８ａに記憶されたラベル名情報と、記憶用階層構造情報メモリ３９ｃ２に記憶された階層構造情報とにより判定できる。
【０１３２】
例えば、受信用ラベル名情報メモリ３８ａに記憶されたラベル名情報のラベル名が「Ｂ１」である場合（図３参照）には、記憶用階層構造情報メモリ３９ｃ２に記憶された階層構造情報に含まれる階層位置情報５１ｂ３（図３参照）を利用することにより、ラベル名「Ｂ１」は、グループ名情報のグループ名「Ａ」の隣に位置していることが認識できるので、受信用ラベル名情報メモリ３８ａに記憶されたラベル名情報のラベル名「Ｂ１」が最上位の無線タグ装置１０であると判定できる。
【０１３３】
また、例えば、受信用ラベル名情報メモリ３８ａに記憶されたラベル名情報のラベル名が「Ｆ１」である場合（図３参照）には、記憶用階層構造情報メモリ３９ｃ２に記憶された階層構造情報に含まれる階層位置情報５５ｂ３（図３参照）を利用することにより、ラベル名「Ｆ１」は、グループ名情報のグループ名「Ａ」の隣に位置していないことが認識できるので、受信用ラベル名情報メモリ３８ａに記憶されたラベル名情報のラベル名「Ｆ１」は最上位の無線タグ装置１０でないと判定できる。
【０１３４】
Ｓ４４の処理において、受信用ラベル名情報メモリ３８ａに記憶されたラベル名情報は最上位とする無線タグ装置１０のラベル名情報でないと判定された場合は（Ｓ４４：Ｎｏ）、最上位とする無線タグ装置１０からラベル名情報を受信するために、Ｓ４１Ａの処理に戻る。一方、受信用ラベル名情報メモリ３８ａに記憶されたラベル名情報は最上位とする無線タグ装置１０のラベル名情報であると判定された場合は（Ｓ４４：Ｙｅｓ）、Ｓ４５以降の処理に移行する。
【０１３５】
Ｓ４５の処理においては、記憶用階層構造情報メモリ３９ｃ２に記憶された階層構造情報を最上位とする無線タグ装置１０へ送信するように操作者に報知し、報知後に階層構造情報を送信する（Ｓ４５）。このＳ４５の処理により、リーダ・ライタ装置３０は操作者に階層構造情報の送信先を案内することができる。リーダ・ライタ装置３０によって作成された階層構造情報が最上位とする無線タグ装置１０に送信されると、最上位とする無線タグ装置１０に作成された階層構造情報が記憶される。このように、最上位とする無線タグ装置１０には、リーダ・ライタ装置３０によって作成された最新の階層構造情報を記憶させることができる。このＳ４５の送信後、Ｓ４６以降の処理に移行する。
【０１３６】
Ｓ４６の処理においては、追加対象の無線タグ装置１０は他にあるか否かが判定される（Ｓ４６）。なお、このＳ４６判定においては、Ｓ４６の判定前に、リーダ・ライタ装置３０が、追加対象の無線タグ装置１０は他にあるか否かを操作者に報知する。そして、操作者がリーダ・ライタ装置３０のキーボード３３を用いて入力した報知に対する応答を用いてＳ４６の判定が行われる。
【０１３７】
Ｓ４６の処理において、追加対象の無線タグ装置１０が他にあると判定された場合は（Ｓ４６：Ｙｅｓ）、無線タグ装置１０を階層構造情報に追加するために、Ｓ３０の処理に戻る。一方、追加対象の無線タグ装置１０が他にないと判定された場合は（Ｓ４６：Ｎｏ）、Ｓ４７の情報転送処理に移行する。
【０１３８】
ここで、図１０を用いて情報転送処理について説明する。図１０は、情報転送処理を示したフローチャートである。情報転送処理は、図９に示す階層構造情報構築処理によって作成された階層構造情報を、グループ名情報が同一である最上位以外の無線タグ装置１０に転送する処理である。情報転送処理では、まず、グループ名情報が同一の無線タグ装置１０の１つにリーダ・ライタ装置３０を近づけるようディスプレイ３２に表示する（Ｓ６０）。このディスプレイ３２の表示に従い、グループ名情報が同一の無線タグ装置１０の１つに操作者がリーダ・ライタ装置３０を近づけると、リーダ・ライタ装置３０は、グループ名情報が同一の無線タグ装置１０の１つへラベル名情報および関連情報（グループ名情報および階層構造情報）を送信するように要求する（Ｓ６１）。次に、送信されたラベル名情報を受信用ラベル名情報メモリ３８ａに記憶し、送信された関連情報（グループ名情報および階層構造情報）を受信用関連情報メモリ３８ｂに記憶し（グループ名情報は受信用グループ名情報メモリ３８ｂ１に記憶され、階層構造情報は受信用階層構造情報メモリ３８ｂ２に記憶し）（Ｓ６２）、Ｓ６３以降の処理に移行する。
【０１３９】
Ｓ６３の処理においては、受信用グループ名情報メモリ３８ｂ１に記憶されたグループ名情報は、記憶用グループ名情報メモリ３９ｃ１に記憶されたグループ名情報と同一か否かが判定される（Ｓ６３）。この処理においては、Ｓ６１の送信要求により関連情報（グループ名情報と階層構造情報）を送信した無線タグ装置１０のグループ名情報（受信用関連情報メモリ３８ｂ内の受信用グループ名情報メモリ３８ｂ１に記憶されたグループ名情報）と、記憶用グループ名情報メモリ３９ｃ１に記憶されたグループ名情報とが同一であるか否か、即ち、Ｓ６１の送信要求により関連情報（グループ名情報と階層構造情報）を送信した無線タグ装置１０は、記憶用階層構造メモリ３９ｃ２に記憶された階層構造情報の送信対象であるか否かが判定される。
【０１４０】
Ｓ６３の処理において、受信用グループ名情報メモリ３８ｂ１に記憶されたグループ名情報は、記憶用グループ名情報メモリ３９ｃ１に記憶されたグループ名情報と同一でないと判定された場合は（Ｓ６３：Ｎｏ）、Ｓ６１の要求によりラベル名情報および関連情報を送信した無線タグ装置１０は、記憶用階層構造メモリ３９ｃ２に記憶された階層構造情報の送信対象でないので、Ｓ６０の処理に戻り、Ｓ６０の処理後、再び、グループ名情報が同一である無線タグ装置１０の１つにラベル名情報および関連情報を送信するように要求する（Ｓ６１）。
【０１４１】
Ｓ６３の処理において、受信用グループ名情報メモリ３８ｂ１に記憶されたグループ名情報は、記憶用グループ名情報メモリ３９ｃ１に記憶されたグループ名情報と同一であると判定された場合は（Ｓ６３：Ｙｅｓ）、Ｓ６４以降の処理に移行する。Ｓ６４の処理においては、記憶用階層構造情報メモリ３９ｃ２に記憶された階層構造情報を、ラベル名情報および関連情報（グループ名情報および階層構造情報）を送信要求した無線タグ装置１０へ送信し（Ｓ６４）、Ｓ６４Ａ以降の処理に移行する。
【０１４２】
Ｓ６４Ａの処理においては、受信用ラベル名情報メモリ３８ａに記憶されたラベル名情報を、送信済メモリ３９ｄに転送し、記憶する（Ｓ６４Ａ）。Ｓ６４Ａの処理後、Ｓ６５以降の処理に移行する。このＳ６４Ａの処理では、リーダ・ライタ装置３０が階層構造情報を送信した無線タグ装置１０を記憶しておくために、受信用ラベル名情報メモリ３８ａに記憶されたラベル名情報を、送信済メモリ３９ｄに転送し、記憶しておく。
【０１４３】
Ｓ６５の処理においては、リーダ・ライタ装置３０に送信終了の指示があるか否かが判定される（Ｓ６５）。リーダ・ライタ装置３０に階層構造情報の送信終了の指示がないと判定された場合は（Ｓ６５：Ｎｏ）、Ｓ６６の処理に移行する。Ｓ６６の処理においては、グループ名情報が同一である無線タグ装置１０の全ての無線タグ装置１０の階層構造情報が書き換えられたか否かが判定される（Ｓ６６）。
【０１４４】
グループ名情報が同一である無線タグ装置１０の全ての無線タグ装置１０の階層構造情報が書き換えられたか否かの判定（Ｓ６６）は、Ｓ６４Ａの処理において送信済メモリ３９ｄに記憶されたラベル名情報と、受信用階層構造情報メモリ３８ｂ２に記憶された階層構造情報とを用いて行う。
【０１４５】
具体的な判定方法を説明する。受信用階層構造情報メモリ３８ｂ２に記憶された階層構造情報から、グループ名情報のグループ名「Ａ」である全て無線タグ装置１０は、図３に示すように、ラベル名「Ｂ１」〜「Ｆ２」の８つであることを検出することができる。この８つのラベル名と送信済メモリ３９ｄに記憶されたラベル名とが全て一致すれば、全ての無線タグ装置１０の階層構造情報が書き換えられたと判定される。また、この８つのラベル名と送信済メモリ３９ｄに記憶されたラベル名とが全て一致しなければ、グループ名情報のグループ名が「Ａ」である全ての無線タグ装置１０の階層構造情報が書き換えられていないと判定される。
【０１４６】
Ｓ６６の処理において、グループ名情報が同一である無線タグ装置１０の全ての無線タグ装置１０の階層構造情報が書き換えられたと判定された場合は（Ｓ６６：Ｙｅｓ）、Ｓ６７の処理に移行し、階層構造情報の転送完了を表示する（Ｓ６７）。この処理の後、情報転送処理を終了する。一方、グループ名情報が同一である無線タグ装置１０の全ての無線タグ装置１０の階層構造情報が書き換えられていないと判定された場合は（Ｓ６６：Ｎｏ）、Ｓ６０の処理に戻り、階層構造情報の転送処理を繰り返す。
【０１４７】
Ｓ６５の処理において、リーダ・ライタ装置３０に階層構造情報の送信終了の指示があると判定された場合は（Ｓ６５：Ｙｅｓ）、Ｓ６８の処理に移行する。Ｓ６８の処理においては、グループ名情報が同一である無線タグ装置１０の全ての無線タグ装置１０の階層構造情報が書き換えられたか否かが判定される（Ｓ６８）。なお、このＳ６８の処理は、Ｓ６６の処理と同一の処理であるので、詳細な説明は省略する。
【０１４８】
Ｓ６８の処理において、グループ名情報が同一である無線タグ装置１０の全ての無線タグ装置１０の階層構造情報が書き換えられたと判定された場合は（Ｓ６８：Ｙｅｓ）、Ｓ６７の処理に移行し、階層構造情報の転送完了を表示する（Ｓ６７）。この処理の後、情報転送処理を終了する。一方、グループ名情報が同一である無線タグ装置１０の全ての無線タグ装置１０の階層構造情報が書き換えられていないと判定された場合は（Ｓ６８：Ｎｏ）、Ｓ６９の処理に移行し、階層構造情報の転送未完了を表示する（Ｓ６９）。この処理の後、情報転送処理を終了する。
【０１４９】
なお、階層構造情報の転送完了が表示された場合は（Ｓ６７）、送信済メモリ３９ｄに記憶されたラベル名情報は消去され、階層構造情報の転送未完了が表示された場合は（Ｓ６９）、送信済メモリ３９ｄに記憶されたラベル名情報は消去されず、保存されたままである。このように、階層構造情報の転送が未完了である場合は、ラベル名情報を送信済メモリ３９ｄに保存しておくことで、次に情報転送処理を実行する場合に、階層構造情報の転送が未完了である無線タグ装置１０を操作者が認識することができる。
【０１５０】
ここで、Ｓ６９の処理により、階層構造情報の転送未完了を表示するので、グループ名情報が同一である無線タグ装置１０の全てに階層構造情報の送信が完了していないことを操作者に案内することができる。なお、情報転送処理が終了すると、図８に示す付属タグ構築処理のＳ４７の処理が終了し、付属タグ構築処理も終了する。
【０１５１】
次に、図１１を参照して、情報整合処理について説明する。図１１は、情報整合処理を示したフローチャートである。情報整合処理は、図１０に示す情報転送処理で階層構造情報の転送が未完了である場合に、階層構造情報の転送が未完了である無線タグ装置１０に図９に示す階層構造情報構築処理で作成された階層構造情報を送信する処理である。この情報整合処理は、図６の機能選択処理により情報整合処理が設定され、機能選択処理が終了した場合に実行される処理である。
【０１５２】
情報整合処理では、まず、情報を整合させたいグループ名の最上位の無線タグ装置１０にリーダ・ライタ装置３０を近づけるようディスプレイ３２に表示する（Ｓ７０）。このディスプレイ３２の表示に従い、情報を整合させたいグループ名の最上位の無線タグ装置１０に操作者がリーダ・ライタ装置３０を近づけると、リーダ・ライタ装置３０は、最上位とする無線タグ装置１０にラベル名情報および関連情報（グループ名情報および階層構造情報）を送信するように要求する（Ｓ７１）。
【０１５３】
ここで、最上位とする無線タグ装置１０にラベル名情報および関連情報の送信を要求する理由は、Ｓ７１の送信要求により送信された関連情報が最上位とする無線タグ装置１０のものか否かを判定するためにラベル名情報を使用するためであり、また、図８に示す付属タグ構築処理のＳ４５によって、少なくとも最上位とする無線タグ装置１０には、図９に示す階層構造情報構築処理で作成された関連情報（グループ名情報および階層構造情報）が記憶されているからである。
【０１５４】
最上位とする無線タグ装置１０へのラベル名情報および関連情報（グループ名情報および階層構造情報）の送信要求により（Ｓ７１）、最上位とする無線タグ装置１０から送信されたラベル名情報をリーダ・ライタ装置３０の記憶用ラベル名情報メモリ３９ｂに記憶し、送信された関連情報をリーダ・ライタ装置３０の記憶用関連情報メモリ３９ｃに記憶する（グループ名情報は記憶用グループ名情報メモリ３９ｃ１に記憶し、階層構造情報は記憶用階層構造情報メモリ３９ｃ２に記憶する）（Ｓ７２）。
【０１５５】
Ｓ７３の処理においては、記憶用ラベル名情報メモリ３９ｂに記憶されたラベル名情報は最上位とする無線タグ装置１０のラベル名情報か否かが判定される（Ｓ７３）。このＳ７３の処理は、記憶用階層構造情報メモリ３９ｃ２に記憶された階層構造情報に基づいて、記憶用ラベル名情報メモリ３９ｂに記憶されたラベル名情報は最上位とする無線タグ装置１０のラベル名情報か否かを判定すれば良い。
【０１５６】
Ｓ７３の処理において、記憶用ラベル名情報メモリ３９ｂに記憶されたラベル名情報は最上位とする無線タグ装置１０のラベル名情報でないと判定された場合は（Ｓ７３：Ｎｏ）、最上位とする無線タグ装置１０からラベル名情報を受信するために、Ｓ７０の処理に戻る。一方、記憶用ラベル名情報メモリ３９ｂに記憶されたラベル名情報は最上位とする無線タグ装置１０のラベル名情報であると判定された場合は（Ｓ７３：Ｙｅｓ）、Ｓ７３Ａ以降の処理に移行する。
【０１５７】
Ｓ７３Ａの処理においては、整合対象の無線タグ装置１０にリーダ・ライタ装置３０を近づけるようディスプレイ３２に表示する（Ｓ７３Ａ）。このディスプレイ３２の表示に従い、整合対象の無線タグ装置１０に操作者がリーダ・ライタ装置３０を近づけると、リーダ・ライタ装置３０は、図１０に示す情報転送処理で階層構造情報の送信が未完了である無線タグ装置１０、即ち、整合対象の無線タグ装置１０に関連情報（グループ名情報および階層構造情報）を送信するように要求し（Ｓ７４）、Ｓ７５以降の処理に移行する。Ｓ７５の処理においては、整合対象の無線タグ装置１０から送信された関連情報を受信用関連情報メモリ３８ｂに記憶し（グループ名情報は受信用グループ名情報メモリ３８ｂ１に記憶し、階層構造情報は受信用階層構造情報メモリ３８ｂ２に記憶し）（Ｓ７５）、Ｓ７６以降の処理に移行する。
【０１５８】
Ｓ７６の処理においては、受信用グループ名情報メモリ３８ｂ１に記憶されたグループ名情報は、記憶用グループ名情報メモリ３９ｃ１に記憶されたグループ名情報と同一か否かが判定される（Ｓ７６）。このＳ７６の処理は、図１０に示す情報転送処理のＳ６３の処理と同一である。よって、Ｓ７６の処理の詳細な説明は省略する。
【０１５９】
Ｓ７６の処理において、受信用グループ名情報メモリ３８ｂ１に記憶されたグループ名情報は、記憶用グループ名情報メモリ３９ｃ１に記憶されたグループ名情報と同一でないと判定された場合は（Ｓ７６：Ｎｏ）、Ｓ７４の要求により関連情報（グループ名情報および階層構造情報）を送信した無線タグ装置１０は、記憶用階層構造情報メモリ３９ｃ２に記憶された階層構造情報の送信対象でないので、Ｓ８０の処理へ移行し、グループ名情報が違うことを報知して（Ｓ８０）、この情報整合処理を終了する。
【０１６０】
Ｓ７６の処理において、受信用グループ名情報メモリ３８ｂ１に記憶されたグループ名情報は、記憶用グループ名情報メモリ３９ｃ１に記憶されたグループ名情報と同一であると判定された場合は（Ｓ７６：Ｙｅｓ）、Ｓ７７以降の処理に移行する。Ｓ７７の処理においては、記憶用階層構造情報メモリ３９ｃ２に記憶された階層構造情報は、受信用階層構造情報メモリ３８ｂ２に記憶された階層構造情報と同一か否か、即ち、記憶用階層構造情報メモリ３９ｃ２に記憶された階層構造情報は、Ｓ７４の送信要求により整合対象の無線タグ装置１０から送信された関連情報（グループ名情報および階層構造情報）に含まれる階層構造情報と同一か否かが判定される（Ｓ７７）。
【０１６１】
Ｓ７７の処理において、記憶用階層構造情報メモリ３９ｃ２に記憶された階層構造情報は、受信用階層構造情報メモリ３８ｂ２に記憶された階層構造情報と同一でないと判定された場合には（Ｓ７７：Ｎｏ）、Ｓ７８以降の処理に移行し、記憶用階層構造情報メモリ３９ｃ２に記憶された階層構造情報を整合対象の無線タグ装置１０に送信する（Ｓ７８）。Ｓ７８の処理後、Ｓ７９の処理に移行し、整合対象の無線タグ装置１０の階層構造情報が、最上位とする無線タグ装置１０の階層構造情報と整合されたことを報知する（Ｓ７９）。Ｓ７９の処理後、情報整合処理を終了する。
【０１６２】
Ｓ７７の処理において、記憶用階層構造情報メモリ３９ｃ２に記憶された階層構造情報は、受信用階層構造情報メモリ３８ｂ２に記憶された階層構造情報と同一であると判定された場合には（Ｓ７７：Ｙｅｓ）、Ｓ８１の処理に移行し、整合対象の無線タグ装置１０の階層構造情報は、最上位とする無線タグ装置１０の階層構造情報と既に同一であることを報知する（Ｓ８１）。このＳ８１の処理後、情報整合処理を終了する。
【０１６３】
情報整合処理によって、図１０に示す情報転送処理で情報の転送が未完了である場合に、情報の転送が未完了である無線タグ装置１０に、最上位とする無線タグ装置１０の階層構造情報を送信し、情報の転送が未完了である無線タグ装置１０の階層構造情報を最上位とする無線タグ装置１０の階層構造情報と整合させることができ、最上位とする無線タグ装置１０が記憶する最新の階層構造情報を、情報の転送が未完了である無線タグ装置１０に記憶させることができる。
【０１６４】
次に、図１２を参照して、参照処理について説明する。図１２は、参照処理を示したフローチャートである。参照処理は、無線タグ装置１０に記憶されたラベル名情報および関連情報（グループ名情報および階層構造情報）をリーダ・ライタ装置３０で受信し、受信したラベル名情報および関連情報をリーダ・ライタ装置３０のディスプレイ３２に表示し、参照する処理である。この参照処理は、図６の機能選択処理により参照処理が設定され、機能選択処理が終了した場合に実行される処理である。
【０１６５】
参照処理では、まず、参照する無線タグ装置１０にラベル名情報および関連情報（グループ名情報と階層構造情報）を送信するように要求する（Ｓ９１）。なお、Ｓ９１の判定前に、リーダ・ライタ装置３０が、参照する無線タグ装置１０にリーダ・ライタ装置３０を近づけるようディスプレイ３２に表示する。このディスプレイ３２の表示に従い、参照する無線タグ装置１０に操作者がリーダ・ライタ装置３０を近づけると、リーダ・ライタ装置３０は、参照する無線タグ装置１０にラベル名情報および関連情報を送信するように要求する（Ｓ９１）。
【０１６６】
次に、参照する無線タグ装置１０から送信されたラベル名情報をリーダ・ライタ装置３０の記憶用ラベル名情報メモリ３９ｂに記憶し、参照する無線タグ装置１０から送信された関連情報（グループ名情報と階層構造情報）をリーダ・ライタ装置３０の記憶用関連情報メモリ３９ｃに記憶する（グループ名情報は記憶用グループ名情報メモリ３９ｃ１に記憶し、階層構造情報は記憶用階層構造情報メモリ３９ｃ２に記憶する）（Ｓ９２）。
【０１６７】
なお、ラベル名情報を、受信用ラベル名情報メモリ３８ａに記憶せず、記憶用ラベル名情報メモリ３９ｂに記憶するのは、参照処理を途中で終了し、次の機会に参照処理を実行する場合にも、記憶用ラベル名情報メモリ３９ｂに記憶されたラベル名情報を使用することができるためである。
【０１６８】
Ｓ９３の処理においては、ラベル名情報および関連情報（グループ名情報と階層構造情報）が入力されているか否かを判定する（Ｓ９３）。ラベル名情報が入力されているか否かは、記憶用ラベル名情報メモリ３９ｂにラベル名情報が存在するか否かにより判定され、関連情報が入力されているか否かは、記憶用関連情報メモリ３９ｃに関連情報が存在するか否かにより判定される。
【０１６９】
Ｓ９３の処理において、ラベル名情報および関連情報（グループ名情報と階層構造情報）が入力されていると判定された場合は（Ｓ９３：Ｙｅｓ）、Ｓ９４以降の処理に移行する。Ｓ９４の処理においては、記憶用ラベル名情報メモリ３９ｂに記憶されたラベル名情報を用いて、参照する無線タグ装置１０のラベル名情報をディスプレイ３２に表示すると共に、記憶用関連情報メモリ３９ｃに記憶された関連情報を用いて、参照する無線タグ装置１０のグループの階層構造が分かるようにラベル名が階層構造に従って並べられた一覧をディスプレイ３２に表示する（図５（ａ）参照）。また、この際、参照する無線タグ装置１０のグループ名、グループ名が同一である全ての無線タグ装置１０の数もディスプレイ３２に表示する。更に、参照する無線タグ装置１０のラベル名のみを反転表示させるなどして、参照する無線タグ装置１０のラベル名が操作者に分かるように表示させる（図５（ａ）参照）。このＳ９４の処理後、Ｓ９５以降の処理に移行する。ここで、Ｓ９４の処理により、ディスプレイ３２に各種情報を表示するので、操作者は視覚による各種情報の確認を行うことができる。尚、本実施例では図５（ａ）に示したように階層構造が分かるようにラベル名が階層構造に従って並べられた一覧を表示するものとして説明したが、ディスプレイ３２には図５（ｂ）に示したように１つのラベル名のみを表示させても良い。
【０１７０】
次に、別の無線タグ装置１０を参照するか否かが判定される（Ｓ９５）。なお、このＳ９５判定においては、Ｓ９５の判定前に、リーダ・ライタ装置３０が、別の無線タグ装置１０を参照するか否かを操作者に報知する。そして、操作者がリーダ・ライタ装置３０のキーボード３３を用いて入力した報知に対する応答を用いてＳ９５の判定が行われる。
【０１７１】
Ｓ９５の処理において、別の無線タグ装置１０を参照すると判定された場合は（Ｓ９５：Ｙｅｓ）、Ｓ９１の処理に戻り、Ｓ９１以降の処理を繰り返す。一方、別の無線タグ装置１０を参照しないと判定された場合は（Ｓ９５：Ｎｏ）、Ｓ９７以降の処理に移行する。
【０１７２】
Ｓ９３の処理において、ラベル名情報および関連情報（グループ名情報と階層構造情報）が入力されていないと判定された場合は（Ｓ９３：Ｎｏ）、Ｓ９６以降の処理に移行する。Ｓ９６の処理においては、参照する無線タグ装置１０にはラベル名情報および関連情報がないことを表示し（Ｓ９６）、Ｓ９７以降の処理に移行する。
【０１７３】
Ｓ９７の処理においては、参照処理を終了するか否かの判定が行われる（Ｓ９７）。なお、このＳ９７判定においては、Ｓ９７の判定前に、リーダ・ライタ装置３０が、参照処理を終了するか否かを操作者に報知する。そして、操作者がリーダ・ライタ装置３０のキーボード３３を用いて入力した報知に対する応答を用いてＳ９７の判定が行われる。
【０１７４】
Ｓ９７の処理において、参照処理を終了すると判定された場合は（Ｓ９７：Ｙｅｓ）、Ｓ９９の処理に移行し、ディスプレイ３２の表示を終了する（Ｓ９９）。このＳ９９の処理後、参照処理を終了する。一方、参照処理を終了しないと判定された場合は（Ｓ９７：Ｎｏ）、Ｓ９８以降の処理に移行する。
【０１７５】
Ｓ９８の処理においては、別の無線タグ装置１０を参照するか否かが判定される（Ｓ９８）。このＳ９８の処理は、Ｓ９５の処理と同一である。よって、詳細な説明は省略する。ここで、Ｓ９５の処理と同一の処理であるＳ９８の処理を実行するのは、Ｓ９５の処理で別の無線タグ装置１０を参照したいのにも拘らず、誤って参照しないと応答した結果、Ｓ９７の処理に移行した場合に、参照処理を継続させるためである。
【０１７６】
Ｓ９８の処理において、別の無線タグ装置１０を参照すると判定された場合は（Ｓ９８：Ｙｅｓ）、Ｓ９１の処理に戻り、Ｓ９１以降の処理を繰り返す。一方、別の無線タグ装置１０を参照しないと判定された場合は（Ｓ９８：Ｎｏ）、ディスプレイ３２の表示を終了後（Ｓ９９）、参照処理を終了する。
【０１７７】
参照処理によって、無線タグ装置１０に記憶されたラベル名情報および関連情報（グループ名情報と階層構造情報）をリーダ・ライタ装置３０で受信し、受信したラベル名情報および関連情報をリーダ・ライタ装置３０のディスプレイ３２に表示することができる。
【０１７８】
次に、図１３を参照して、無線タグ装置１０の応答処理を説明する。図１３は、無線タグ装置１０の応答処理を示したフローチャートである。応答処理は、リーダ・ライタ装置３０から送信された信号を無線タグ装置１０が受信した場合に、受信した信号に対する無線タグ装置１０の応答を行う処理である。よって、応答処理は、リーダ・ライタ装置３０から送信された信号を無線タグ装置１０が受信した場合に実行される。なお、無線タグ装置１０は、リーダ・ライタ装置３０から送信される信号を受信しない場合は、リーダ・ライタ装置３０から送信される信号を受信する受信機能のみが起動され、その他の機能は起動しない状態となっている。
【０１７９】
応答処理では、リーダ・ライタ装置３０から送信された信号を無線タグ装置１０が受信した場合に、リーダ・ライタ装置３０から受信した信号はラベル名情報または関連情報（グループ名情報と階層構造情報）か否かが判定される（Ｓ１０１）。ここで、リーダ・ライタ装置３０から無線タグ装置１０に送信される信号は、ラベル名情報、関連情報、ラベル名情報の送信要求、および関連情報の送信要求の４つである。
【０１８０】
Ｓ１０１の処理において、リーダ・ライタ装置３０から受信した信号がラベル名情報または関連情報（グループ名情報と階層構造情報）であると判定された場合は（Ｓ１０１：Ｙｅｓ）、Ｓ１０２以降の処理に移行する。Ｓ１０２の処理においては、リーダ・ライタ装置３０から受信したラベル名情報をタグ用ラベル名情報メモリ１８ａに記憶し、受信した関連情報をタグ用関連情報メモリ１８ｂに記憶し（受信したグループ名情報はタグ用グループ名情報メモリ１８ｂ１に記憶し、受信した階層構造情報はタグ用階層構造情報メモリ１８ｂ２に記憶し）（Ｓ１０２）、Ｓ１０３以降の処理に移行する。
【０１８１】
Ｓ１０３の処理においては、タグ用ラベル名情報メモリ１８ａに記憶されたラベル名情報をタグ用ディスプレイ１２に表示し（Ｓ１０３）、応答処理を終了し、再び受信機能のみが起動された状態に戻る。なお、このＳ１０３の処理により、タグ用ディスプレイ１２にラベル名が表示される。
【０１８２】
Ｓ１０１の処理において、リーダ・ライタ装置３０から受信した信号がラベル名情報または関連情報（グループ名情報と階層構造情報）でないと判定された場合は（Ｓ１０１：Ｎｏ）、Ｓ１０４以降の処理に移行する。Ｓ１０４の処理においては、リーダ・ライタ装置３０から受信した信号はラベル名情報の送信要求または関連情報の送信要求か否かが判定される（Ｓ１０４）。
【０１８３】
Ｓ１０４の処理において、リーダ・ライタ装置３０から受信した信号はラベル名情報の送信要求または関連情報（グループ名情報と階層構造情報）の送信要求であると判定された場合は（Ｓ１０４：Ｙｅｓ）、Ｓ１０５以降の処理に移行し、タグ用ラベル名情報メモリ１８ａに記憶されたラベル名情報またはタグ用関連情報メモリ１８ｂに記憶された関連情報（タグ用グループ名情報メモリ１８ｂ１に記憶されたグループ名情報およびタグ用階層構造情報メモリ１８ｂ２に記憶された階層構造情報）をリーダ・ライタ装置３０に送信する（Ｓ１０５）。このＳ１０５の処理後、応答処理を終了し、再び受信機能のみが起動された状態に戻る。
【０１８４】
Ｓ１０４の処理において、リーダ・ライタ装置３０から受信した信号はラベル名情報の送信要求または関連情報（グループ名情報と階層構造情報）の送信要求でないと判定された場合は（Ｓ１０４：Ｎｏ）、リーダ・ライタ装置３０から送信された信号は無線タグ装置１０に対する有効な信号ではないので、応答処理を終了し、再び受信機能のみが起動された状態に戻る。
【０１８５】
この応答処理によって、リーダ・ライタ装置３０から送信される信号を無線タグ装置１０が受信した場合に、受信した信号に対する無線タグ装置１０の応答が実行される。また、この応答処理によって、タグ用ディスプレイ１２にラベル名が表示される。
【０１８６】
上述した通り、本実施の形態のリーダ・ライタ装置３０によれば、リーダ・ライタ装置３０によってラベル名情報が作成された無線タグ装置１０が装着されたバインダー１の１つと、そのバインダー１を除く他のバインダー１との関連を示す関連情報（グループ名情報と階層構造情報）を作成し、その関連情報をリーダ・ライタ装置３０により無線タグ装置１０に送信することができる。よって、作成された関連情報により、バインダー１同士の関連を知ることができる。
【０１８７】
以上、実施の形態に基づき本発明を説明したが、本発明は上記形態に何ら限定されるものではなく、本発明の趣旨を逸脱しない範囲内で種々の変形改良が可能であることは容易に推察できるものである。
【０１８８】
例えば、上記実施の形態では、リーダ・ライタ装置３０は専用機器を用いて実現したが、リーダ・ライタ装置３０はパーソナルコンピュータを用いて実現しても良い。また、ラベル名情報および関連情報（グループ名情報と階層構造情報）は無線タグ装置１０およびリーダ・ライタ装置３０に記憶されていたが、ラベル名情報および関連情報は、パーソナルコンピュータの記憶装置や、パーソナルコンピュータが接続されたネットワークの記憶装置に記憶されていても良い。
【０１８９】
また、上記実施の形態では、図１２の参照処理のＳ９４の処理で階層構造情報をリーダ・ライタ装置３０のディスプレイ３２に表示したが、この階層構造情報の表示は、参照する無線タグ装置１０をディスプレイ３２の中央に表示するようにしても良い。参照する無線タグ装置１０をディスプレイ３２の中央に表示する態様で階層構造情報を表示した場合は、参照する無線タグ装置１０の階層位置情報の把握が容易となる。
【０１９０】
また、上記実施の形態では、リーダ・ライタ装置３０のディスプレイ３２は電気詠動式を用いたが、ディスプレイ３２には、バッテリを内蔵しない表示媒体であると共に表示内容を消去して何回でも書き換えることができ、更には、表示された内容を長時間にわたり維持できる電子ペーパー等の不揮発性の表示装置を用いても良い。
【０１９１】
また、上記実施の形態では、無線タグ装置１０をバインダー２に装着しているが、無線タグ装置１０は、本棚７０に装着されていても良い。
【０１９２】
また、上記実施の形態では、リーダ・ライタ装置３０を無線タグ装置１０に近づけることで無線タグ装置１０との無線通信を行っていたが、これに限らず、リーダ・ライタ装置３０および無線タグ装置１０が送信する電波を広範囲にして、リーダ・ライタ装置３０を無線タグ装置１０に近づけることなく無線タグ装置１０との無線通信を行うようにしても良い。
【図面の簡単な説明】
【０１９３】
【図１】本実施形態におけるタグ無線通信システムの外観図である。
【図２】図２（ａ）は無線タグ装置の電気的構成を示したブロック図であり、図２（ｂ）はリーダ・ライタ装置の電気的構成を示したブロック図である。
【図３】階層構造を模式に示した図である。
【図４】図４（ａ）は、タグ用ディスプレイに階層構造情報を表示させた場合を模式的に示した図であり、図４（ｂ）は、タグ用ディスプレイに階層構造情報のうちのラベル名のみを表示させた場合を模式的に示した図である。
【図５】図５（ａ）は、ディスプレイに階層構造情報を表示させた場合を模式的に示した図であり、図５（ｂ）は、ディスプレイに階層構造情報のうちのラベル名のみを表示させた場合を模式的に示した図である。
【図６】図６（ａ）は、機能選択処理を示したフローチャートであり、図６（ｂ）は機能選択処理テーブルメモリの内容を示した図である。
【図７】最上位タグ構築処理を示したフローチャートである。
【図８】付属タグ構築処理を示したフローチャートである。
【図９】階層構造情報構築処理を示したフローチャートである。
【図１０】情報転送処理を示したフローチャートである。
【図１１】情報整合処理を示したフローチャートである。
【図１２】参照処理を示したフローチャートである。
【図１３】無線タグ装置の応答処理を示したフローチャートである。
【符号の説明】
【０１９４】
１０                無線タグ装置（タグ装置）
１２                タグ用ディスプレイ（タグ装置用表示手段）
１４                タグ用送受信機（タグ装置用送信手段、タグ装置用受信手段）
１８                タグ用フラッシュメモリ（情報記憶手段）
３０                リーダ・ライタ装置（通信装置）
３２                ディスプレイ（表示手段）
３３                キーボード（階層入力手段）
４６                送受信機（関連情報送信手段、）
６０                タグ無線通信システム（情報通信システム）
Ｓ３５              付属タグ構築処理（特定情報作成手段の一部）
Ｓ４１              階層構造情報構築処理（特定情報作成手段の一部）
Ｓ４５              付属タグ構築処理（代表送信手段、最上位送信手段）
Ｓ５１Ａ            階層情報構築処理（階層報知手段）
Ｓ５２              階層構造情報構築処理（判断手段）
Ｓ６２              情報転送処理（特定情報記憶手段）
Ｓ６４Ａ            情報転送処理（送信済記憶手段）
Ｓ６６              情報転送処理（送信判定手段）
Ｓ６９              情報転送処理（送信未完了報知手段）
Ｓ７２              情報整合処理（第１受信手段）
Ｓ７５              情報整合処理（第２受信手段）
Ｓ７８              情報整合処理（送信手段）
【図１】
2008197888.tif 000003
【図２】
2008197888.tif 000004
【図３】
2008197888.tif 000005
【図４】
2008197888.tif 000006
【図５】
2008197888.tif 000007
【図６】
2008197888.tif 000008
【図７】
2008197888.tif 000009
【図８】
2008197888.tif 000010
【図９】
2008197888.tif 000011
【図１０】
2008197888.tif 000012
【図１１】
2008197888.tif 000013
【図１２】
2008197888.tif 000014
【図１３】
2008197888.tif 000015